(57)【要約】      （修正有）【課題】仮補綴システムと、そのような仮補綴システムの歯科用インプラントへの連結方法とを提供する。【解決手段】補綴システムは、歯科用コンポーネントに接合されることができるコーピング７００と、固定具と、位置合わせ治具８００と、切削治具８５０とを含み、コーピングが仮連結機構を備え、固定具が、ねじ山を備え、位置合わせ治具が、切削治具を通すことができる位置合わせ機構を備え、位置合わせ治具がコーピングに連結された状態で、位置合わせ機構に切削治具を通すことによって、コーピングと、コーピングに接合された歯科用コンポーネントの両方に貫通穴が形成されるように、位置合わせ治具が、コーピングの仮連結機構によって、コーピングに取り外し可能な状態で連結するように構成されている。【選択図】図１１
2020062527.tif 000002
【特許請求の範囲】
【請求項１】
補綴システムであって、前記システムが、歯科用コンポーネントに接合されることができるコーピングと、固定具と、位置合わせ治具と、切削治具とを含み、前記コーピングが仮連結機構を備え、前記固定具が、ねじ山を備え、前記位置合わせ治具が、前記切削治具を通すことができる位置合わせ機構を備え、前記位置合わせ治具が前記コーピングに連結された状態で、前記位置合わせ機構に前記切削治具を通すことによって、前記コーピングと、前記コーピングに接合された前記歯科用コンポーネントの両方に貫通穴が形成されるように、前記位置合わせ治具が、前記コーピングの前記仮連結機構によって、前記コーピングに取り外し可能な状態で連結するように構成されていることを特徴とする、システム。
【請求項２】
前記コーピングが、細長い部材を更に備え、前記細長い部材が、複数の突起及びスロットを備える、請求項１に記載のシステム。
【請求項３】
前記コーピングの前記仮連結機構が、弾性部材を備える、請求項１又は２に記載のシステム。
【請求項４】
前記コーピングが、本体コンポーネントとコネクターコンポーネントを備え、前記コネクターコンポーネントが、前記コーピングの前記仮連結機構を備える、請求項１〜３のいずれかに記載のシステム。
【請求項５】
前記切削治具が、その外面に沿って配置された切削面を有する細長い部材である請求項１〜４のいずれかに記載のシステム。
【発明の詳細な説明】
【技術分野】
【０００１】
優先権出願の参照による援用
本願は、２０１４年７月２５日に提出された米国仮出願第６２／０２９，２８９号の優先権の利益を主張するものであり、この仮出願の開示全体が、参照により、本明細書に援用される。
【０００２】
本発明は、補綴システム及び補綴方法、ならびに、より具体的には、歯科用補綴システム及び補綴方法に関する。
【背景技術】
【０００３】
歯科用補綴システムを用いて、患者の顎における欠損（抜けた歯または歯並びの悪い歯）を再建できる。歯科用補綴システムは、歯科用インプラント、中間構造体（アバットメントなど）及び補綴物（クラウン、ブリッジまたは義歯など）のようなコンポーネントを含むことができる。
【０００４】
１つの方法では、歯科用仮補綴システムは、より恒久的な歯科用補綴システムを作製して取り付ける前に、患者の顎に取り付けることができる。これにより、患者の顎に直接取り付けられる仮補綴物を患者に提供できる。しかしながら、そのような歯科用仮補綴システム及び補綴方法には、長い加工ねじのような器具を用いる必要がある場合が多く、これにより、対合歯に対する補綴物の適切なフィット性を医師が判断及び確保する能力が妨げられる。したがって、補綴物の適切なフィット性を医師が確保する能力を高める、歯科用仮補綴システムと、仮補綴システムを取り付ける方法とを更に改善することに対するニーズが存在する。
【発明の概要】
【０００５】
本明細書に記載される歯科用補綴システム及び補綴方法の一態様は、対合歯に対する歯科用補綴物のフィット性を高めるニーズを認識することである。歯科用仮補綴システムには、長い加工ねじのような他の器具を用いることが原因で、制限がある場合が多く、これにより、適切なフィット性を医師が確保する能力が妨げられる。
【０００６】
いくつかの実施形態では、歯科用補綴物のインプラントまたはアバットメントへの連結方法は、スナップフィット連結部を用いて、コーピングをアバットメントに連結するステップを含むことができる。この方法は、補綴物をコーピングに接合するステップも含むことができる。この方法は、スナップフィット連結部によって、補綴物とコーピングをアバットメントから切り離すステップも含むことができる。この方法は、コーピングと補綴物の両方に、貫通穴を形成するステップも含むことができる。この方法は、貫通穴に挿入した固定具を用いて、コーピングと補綴物をアバットメントに連結するステップも含むことができる。
【０００７】
いくつかの実施形態では、下記の特長を上記の実施形態と別々にまたは併せて組み合わせることができる。いくつかの実施形態では、補綴物をコーピングに連結するステップは、接着剤をコーピングと補綴物に塗布するステップ、及び／または補綴物に形成した穴を、アクリル（自然硬化性アクリルなど）もしくは光硬化性複合材で埋め戻すステップを含むことができる。このアクリルは、補綴物を形成する際に用いるのと同じ物質であることができる。いくつかの実施形態では、補綴物は、１つ以上の有底穴を含むことができ、接着剤を補綴物に塗布するステップは、接着剤を１つ以上の有底穴に投入するステップ、及び／または補綴物に形成した穴を、アクリル（自然硬化性アクリル）もしくは光硬化性複合材で埋め戻すステップを含むことができる。この方法は、仮連結機構によって、コーピングをアバットメントに一時的に連結するステップを含むこともできる。いくつかの実施形態では、仮連結機構によって、コーピングをアバットメントに一時的に連結するステップは、コーピングのスナップフィット連結機構を、アバットメントの対応するスナップフィット連結機構と嵌合するステップを含むことができる。この方法は、補綴物とコーピングとの間の位置を修正して、補綴物をコーピングに連結するステップも含むこともできる。いくつかの実施形態では、補綴物とコーピングとの間の位置を修正するステップは、咬合面を配向し、対合歯の咬合面との補綴物の高径を確立するステップを含むことができる。この方法は、補綴物とコーピングが修正位置に留まるように、補綴物とコーピングをアバットメントから外すステップを含むこともできる。この方法は、切削治具を用いて、少なくとも補綴物を通る穴を形成するステップを含むこともできる。いくつかの実施形態では、少なくとも補綴物を通る穴を形成するステップは、位置合わせ治具をコーピングに取り付けて、その位置合わせ治具を用いて、切削治具を補綴物に対して位置合わせするステップを含むことができる。この方法は、第２の連結機構によって、コーピングをアバットメントに連結するステップも含むことができ、この第２の連結機構は、仮連結機構とは異なるものである。いくつかの実施形態では、第２の連結機構によって、コーピングをアバットメントに連結するステップは、ねじ式固定具を用いて、コーピングをアバットメントに固定するステップを含むことができる。この方法は、補綴物をコーピングに取り付けるステップの前に、補綴物がコーピングに対して予備的に嵌合したことを判断するステップも含むことができる。この方法は、コーピングを修正して、補綴物のコーピングに対する嵌合状態を変更するステップも含むことができる。
【０００８】
いくつかの実施形態では、患者の顎内のアバットメント及びコーピングへの歯科用補綴物の取り付け及び位置合わせ方法は、仮連結機構によって、コーピングをアバットメントに連結するステップを含むことができる。この方法は、補綴物をコーピングに接合するステップも含むことができる。この方法は、補綴物をコーピングに接合しながら、補綴物とコーピングとの間の位置を修正するステップも含むことができる。この方法は、補綴物とコーピングをアバットメントから外すステップも含むことができる。
【０００９】
いくつかの実施形態では、下記の特長を上記の実施形態と別々にまたは併せて組み合わせることができる。この方法は、補綴物に１つ以上の有底穴を形成するステップも含むことができる。いくつかの実施形態では、補綴物をコーピングに接合するステップは、補綴物の１つ以上の有底穴の中でコーピングを接合するステップを含むことができる。この方法は、切削治具を用いて、補綴物を通る穴を形成することも含むことができる。いくつかの実施形態では、補綴物を通る穴を形成するステップは、位置合わせ治具をコーピングに取り付け、その位置合わせ治具を用いて、切削治具を補綴物に対して位置合わせするステップを含むことができる。この方法は、ねじ式固定具を用いて、コーピングをアバットメントに連結するステップも含むことできる。いくつかの実施形態では、補綴物とコーピングとの間の位置を修正するステップは、補綴物の咬合面を、対合歯の咬合面と接触させて配置するステップを含むことができる。
【００１０】
ある特定の実施形態では、１つ以上の歯科用コンポーネントを歯科用インプラントに連結するシステムを提供する。このシステムは、仮連結機構を備える少なくとも１つの歯科用コンポーネントを含むことができる。いくつかの実施形態では、この歯科用コンポーネントは、その仮連結機構によって歯科用インプラントと連結するように構成されたアバットメントを含むことができる。いくつかのそのような実施形態では、このアバットメントは、コーピングと一体化されたアバットメントを含むことができる。アバットメントの仮連結機構は、１つ以上のフィンガーを備えることができ、及び／または、ばねを備えることができる。いくつかの実施形態では、アバットメントとインプラントは、スナップフィット及び／または摩擦嵌めによって連結するように構成できる。
【００１１】
歯科用コンポーネントがコーピングとアバットメントを含む様々な実施形態では、コーピングを、仮連結機構によってアバットメントと連結するように構成でき、またはアバットメントを、仮連結機構によってコーピングと連結するように構成できる。いくつかの実施形態では、アバットメントは、第２の連結機構を備えることができる。いくつかのそのような実施形態では、アバットメントは、第２の連結機構によってインプラントに連結するように構成できる。様々な実施形態において、仮連結機構は、１つ以上のフィンガーを備えることができ、及び／または、ばねを備えることができる。いくつかの実施形態では、コーピングとアバットメントは、スナップフィット及び／または摩擦嵌めによって、連結するように構成できる。コーピングは、細長い部材を備えることができる。いくつかのそのような実施形態では、細長い部材は、複数の突起とスロットを備えることができる。コーピングは、フランジも備えることができる。いくつかのそのような実施形態では、フランジは、複数の溝を備えることができる。いくつかの実施形態では、本システムは、切削治具を更に含むことができる。
【００１２】
様々な実施形態では、歯科用コンポーネントは、仮連結機構によって歯科用インプラントと連結するように構成されたアダプターを含むことができる。様々な実施形態において、仮連結機構は、１つ以上のフィンガーを備えることができ、及び／または、ばねを備えることができる。いくつかの実施形態では、アダプターとインプラントは、スナップフィット及び／または摩擦嵌めによって連結するように構成できる。アダプターは、歯科用インプラントと反対側で、１つ以上の他の歯科用コンポーネントに連結するように構成できる。例えば、その１つ以上の他の歯科用コンポーネントは、補綴物、アバットメント、インプレッションポストまたはヒーリングキャップのうちの少なくとも１つを含むことができる。いくつかの実施形態では、１つ以上の歯科用コンポーネントは、傾斜したねじチャネルを含むことができる。
【００１３】
ある特定の実施形態では、歯科用インプラントに連結するように構成された歯科用補綴物の作製方法を提供する。この方法は、１つ以上の歯科用コンポーネントをインプラントに連結することを含むことができる。少なくとも１つの歯科用コンポーネントは、仮連結機構を有することができる。この方法は、補綴物を１つ以上の歯科用コンポーネントに接合することと、仮連結機構によって、補綴物と少なくとも１つの歯科用コンポーネントをインプラントから切り離すことと、少なくとも１つの歯科用コンポーネントと補綴物の両方に、貫通穴を形成することも含むことができる。この貫通穴は、補綴物と、歯科用インプラントに対する少なくとも１つの歯科用コンポーネントと連結するように構成された固定具を受け入れるように構成できる。様々な実施形態において、貫通穴を形成することは、切削治具を用いて、少なくとも１つの歯科用コンポーネントの遠位側から、貫通穴を形成することを含むことができる。貫通穴を形成することは、上記の切削治具または別の切削治具を用いて、補綴物の咬合側から、貫通穴を形成することを更に含むことができる。いくつかの実施形態では、この方法は、貫通穴に挿入した固定具を用いて、少なくとも１つの歯科用コンポーネントと補綴物をインプラントに連結することを更に含むことができる。
【００１４】
様々な実施形態において、仮連結機構は、スナップフィット連結機構及び／または摩擦嵌め連結機構を含むことができる。いくつかの実施形態では、少なくとも１つの歯科用コンポーネントは、仮連結機構によってインプラントと連結するように構成されたアバットメントを含むことができる。いくつかのそのような実施形態では、このアバットメントは、コーピングと一体化されたアバットメントを含むことができる。歯科用コンポーネントがコーピングとアバットメントを含むいくつかの実施形態では、コーピングを、仮連結機構によってアバットメントと連結するように構成でき、またはアバットメントを、仮連結機構によってコーピングと連結するように構成できる。いくつかの実施形態では、アバットメントは、第２の連結機構を備えることができる。いくつかのそのような実施形態では、アバットメントは、第２の連結機構によってインプラントに連結するように構成できる。
具体的には、本願発明は、以下の（１）〜（７１）の構成を有する。
（１）歯科用コンポーネントを歯科用インプラントに連結するシステムであって、前記器具が、仮連結機構を備えるコーピングを含む、システム。
（２）仮連結機構と第２の連結機構とを備えるアバットメント
を更に含み、
前記コーピングと前記アバットメントが、前記仮連結機構によって一時的に、併せて連結するように構成されており、
前記アバットメントが、前記インプラントに連結するように構成されている、
（１）に記載のシステム。
（３）ねじ山を備える固定具を更に含み、前記ねじ山が、前記第２の連結機構と嵌合して、前記コーピングを前記アバットメントと連結するように構成されている、（２）に記載のシステム。
（４）前記コーピングが、細長い部材を更に備え、前記細長い部材が、複数の突起及びスロットを備える、（１）〜（３）のいずれかに記載のシステム。
（５）前記コーピングの前記仮連結機構が、弾性部材を備える、（１）〜（４）のいずれかに記載のシステム。
（６）前記弾性部材が、ウェーブばねを備える、（５）に記載のシステム。
（７）前記ウェーブばねが、前記仮コーピングのスロットの中に入る、（６）に記載のシステム。
（８）前記コーピングの前記仮連結機構が、１つ以上の弾性フィンガーを備える、（５）に記載のシステム。
（９）前記コーピングが、本体コンポーネントとコネクターコンポーネントを備え、前記コネクターコンポーネントが、前記コーピングの前記仮連結機構を備える、（１）〜（８）のいずれかに記載のシステム。
（１０）前記本体コンポーネントが、前記細長い部材を備える、（９）に記載のシステム。
（１１）前記本体コンポーネントと前記コネクターコンポーネントが、併せて連結するように構成されている、（９）または（１０）のいずれかに記載のシステム。
（１２）前記本体コンポーネントと前記コネクターコンポーネントが、摩擦嵌めによって連結するように構成されている、（１１）に記載のシステム。
（１３）前記コネクターコンポーネントが、前記本体コンポーネントの対応するねじ山と嵌合するように構成されたねじ山を備える、（１１）に記載のシステム。
（１４）切削治具を更に備える、（１）〜（１３）のいずれかに記載のシステム。
（１５）前記コーピングの前記仮連結機構によって、前記コーピングに取り外し可能な状態で連結するように構成された位置合わせ治具を更に備える、（１４）に記載のシステム。
（１６）前記位置合わせ治具が、前記切削治具を通すことができる位置合わせ機構を更に備える、（１５）に記載のシステム。
（１７）患者の顎内のインプラント及びアバットメントへの歯科用補綴物の連結方法であって、
スナップフィット連結部を用いて、コーピングを前記アバットメントに連結することと、
前記補綴物を前記コーピングに接合することと、
前記スナップフィット連結部によって、前記補綴物と前記コーピングを前記アバットメントから切り離すことと、
前記コーピングと前記補綴物の両方に、貫通穴を形成することと、
前記貫通穴に挿入した固定具を用いて、前記コーピングと前記補綴物を前記アバットメントに連結することと、
を含む方法。
（１８）患者の顎内のインプラント及びアバットメントへの歯科用補綴物の連結方法であって、
仮連結機構によって、コーピングを前記アバットメントに一時的に連結することと、
前記補綴物と前記コーピングとの間の位置を修正し、前記補綴物を前記コーピングに連結することと、
前記補綴物と前記コーピングが前記修正位置に留まるようにして、前記補綴物と前記コーピングを前記アバットメントから外すことと、
を含む方法。
（１９）切削治具を用いて、少なくとも前記補綴物を通る穴を形成することを更に含む、（１８）に記載の方法。
（２０）少なくとも前記補綴物を通る穴を形成する前記ステップが、位置合わせ治具を前記コーピングに取り付けることと、前記位置合わせ治具を用いて、前記切削治具を前記補綴物に対して位置合わせすることとを含む、（１９）に記載の方法。
（２１）第２の連結機構によって、前記コーピングを前記アバットメントに連結することを更に含み、前記第２の連結機構が、前記仮連結機構とは異なる、（１８）または（１９）のいずれかに記載の方法。
（２２）第２の連結機構によって、前記コーピングを前記アバットメントに連結する前記ステップが、ねじ式固定具を用いて、前記コーピングを前記アバットメントに固定することを含む、（２１）に記載の方法。
（２３）仮連結機構によって、前記コーピングを前記アバットメントに一時的に連結する前記ステップが、前記コーピングのスナップフィット連結機構を、前記アバットメントの対応するスナップフィット連結機構と嵌合することを含む、（１８）〜（２２）のいずれかに記載の方法。
（２４）前記補綴物を前記コーピングに連結する前記ステップが、接着剤を前記コーピングと前記補綴物に塗布することを含む、（１８）〜（２３）のいずれかに記載の方法。
（２５）前記補綴物が、１つ以上の有底穴を備え、前記接着剤を前記補綴物に塗布する前記ステップが、前記接着剤を前記１つ以上の有底穴に投入することを含む、（２４）に記載の方法。
（２６）前記補綴物と前記コーピングとの間の位置を修正する前記ステップが、咬合面を配向し、対合歯の咬合面との前記補綴物の高径を確立することを含む、（１８）〜（２５）のいずれかに記載の方法。
（２７）前記補綴物を前記コーピングに取り付ける前記ステップの前に、前記補綴物が前記コーピングに対して仮嵌合したことを判断することを更に含む、（１８）〜（２６）のいずれかに記載の方法。
（２８）前記コーピングを修正して、前記補綴物の前記コーピングに対する前記嵌合を変更することを更に含む、（２７）に記載の方法。
（２９）患者の顎内のアバットメント及びコーピングへの歯科用補綴物の取り付け及び位置合わせ方法であって、
仮連結機構によって、前記コーピングを前記アバットメントに連結することと、
前記補綴物を前記コーピングに接合することと、
前記補綴物を前記コーピングに接合しながら、前記補綴物と前記コーピングとの間の位置を修正することと、
前記補綴物と前記コーピングを前記アバットメントから外すことと、
を含む方法。
（３０）前記補綴物に１つ以上の有底穴を形成することを更に含み、前記補綴物を前記コーピングに接合する前記ステップが、前記１つ以上の有底穴の中で前記コーピングを接合することを含む、（２９）に記載の方法。
（３１）切削治具を用いて、前記補綴物を通る穴を形成することを更に含む、（２９）に記載の方法。
（３２）前記補綴物を通る穴を形成する前記ステップが、位置合わせ治具を前記コーピングに取り付けることと、前記位置合わせ治具を用いて、前記切削治具を前記補綴物に対して位置合わせすることとを含む、（３１）に記載の方法。
（３３）ねじ式固定具を用いて、前記コーピングを前記アバットメントに連結することを更に含む、（３１）に記載の方法。
（３４）前記補綴物と前記コーピングとの間の位置を修正する前記ステップが、前記補綴物の咬合面を、対合歯の咬合面と接触させて配置することを含む、（２９）に記載の方法。
（３５）１つ以上の歯科用コンポーネントを歯科用インプラントに連結するシステムであって、
前記１つ以上の歯科用コンポーネントの少なくとも１つの歯科用コンポーネントが、仮連結機構を備えるシステム。
（３６）前記少なくとも１つの歯科用コンポーネントが、前記仮連結機構によって前記歯科用インプラントと連結するように構成されたアバットメントを含む、（３５）に記載のシステム。
（３７）前記アバットメントが、コーピングと一体化されたアバットメントを含む、（３６）に記載のシステム。
（３８）前記アバットメントの前記仮連結機構が、１つ以上のフィンガーを備える、（３６）に記載のシステム。
（３９）前記アバットメントの前記仮連結機構が、ばねを備える、（３６）に記載のシステム。
（４０）前記アバットメントと前記インプラントが、スナップフィットによって連結するように構成されている、（３６）に記載のシステム。
（４１）前記アバットメントと前記インプラントが、摩擦嵌めによって連結するように構成されている、（３６）に記載のシステム。
（４２）前記１つ以上の歯科用コンポーネントが、コーピングとアバットメントを含むか、
前記少なくとも１つの歯科用コンポーネントが、前記仮連結機構によって前記アバットメントと連結するように構成された前記コーピングを含むか、または
前記少なくとも１つの歯科用コンポーネントが、前記仮連結機構によって前記コーピングと連結するように構成された前記アバットメントを含む、
（３５）に記載のシステム。
（４３）前記アバットメントが、第２の連結機構を備え、前記アバットメントが、前記第２の連結機構によって前記インプラントに連結するように構成されている、（４２）に記載のシステム。
（４４）前記仮連結機構が、１つ以上のフィンガーを備える、（４２）に記載のシステム。
（４５）前記仮連結機構が、ばねを備える、（４２）に記載のシステム。
（４６）前記コーピングと前記アバットメントが、スナップフィットによって連結するように構成されている、（４２）に記載のシステム。
（４７）前記コーピングと前記アバットメントが、摩擦嵌めによって連結するように構成されている、（４２）に記載のシステム。
（４８）前記コーピングが、細長い部材を備え、前記細長い部材が、複数の突起及びスロットを備える、（４２）に記載のシステム。
（４９）前記コーピングが、フランジを備え、前記フランジが、複数の溝を備える、（４２）に記載のシステム。
（５０）切削治具を更に備える、（３５）に記載のシステム。
（５１）前記少なくとも１つの歯科用コンポーネントが、前記仮連結機構によって前記歯科用インプラントと連結するように構成されたアダプターを含み、前記アダプターが、軟組織に面するように設計された少なくとも一部を備える、（３５）に記載のシステム。
（５２）前記仮連結機構が、１つ以上のフィンガーを備える、（５１）に記載のシステム。
（５３）前記仮連結機構が、ばねを備える、（５１）に記載のシステム。
（５４）前記アダプターと前記インプラントが、スナップフィットによって連結するように構成されている、（５１）に記載のシステム。
（５５）前記アダプターと前記インプラントが、摩擦嵌めによって連結するように構成されている、（５１）に記載のシステム。
（５６）前記アダプターが、前記歯科用インプラントと反対側の１つ以上の他の歯科用コンポーネントに連結するように構成されている、（５１）に記載のシステム。
（５７）前記１つ以上の他の歯科用コンポーネントが、補綴物、アバットメント、インプレッションポスト及びヒーリングキャップのうちの少なくとも１つを含む、（５６）に記載のシステム。
（５８）前記１つ以上の他の歯科用コンポーネントが、傾斜したねじチャネルを備える、（５７）に記載のシステム。
（５９）歯科用インプラントに連結するように構成された歯科用補綴物の作製方法であって、
１つ以上の歯科用コンポーネントを前記インプラントに連結することであって、前記１つ以上の歯科用コンポーネントの少なくとも１つの歯科用コンポーネントが、仮連結機構を有する、前記連結することと、
前記補綴物を前記１つ以上の歯科用コンポーネントに接合することと、
前記仮連結機構によって、前記補綴物と前記少なくとも１つの歯科用コンポーネントを前記インプラントから切り離すことと、
前記少なくとも１つの歯科用コンポーネントと前記補綴物の両方に貫通穴を形成することであって、前記貫通穴が、前記補綴物と、前記歯科用インプラントに対する前記少なくとも１つの歯科用コンポーネントと連結するように構成された固定具を受け入れるように構成されている、前記形成することと
を含む方法。
（６０）前記貫通穴を形成することが、切削治具を用いて、前記少なくとも１つの歯科用コンポーネントの遠位側から、前記貫通穴を形成することを含む、（５９）に記載の方法。
（６１）前記貫通穴を形成することが、前記切削治具または別の切削治具を用いて、前記補綴物の咬合側から、前記貫通穴を形成することを更に含む、（６０）に記載の方法。
（６２）前記貫通穴に挿入した前記固定具を用いて、前記少なくとも１つの歯科用コンポーネントと前記補綴物とを前記インプラントに連結することを更に含む、（５９）に記載の方法。
（６３）前記仮連結機構が、スナップフィット連結機構を含む、（５９）に記載の方法。
（６４）前記仮連結機構が、摩擦嵌め連結機構を含む、（５９）に記載の方法。
（６５）前記少なくとも１つの歯科用コンポーネントが、前記仮連結機構によって前記インプラントと連結するように構成されたアバットメントを含む、（５９）に記載の方法。
（６６）前記アバットメントが、コーピングと一体化されたアバットメントを含む、（６５）に記載の方法。
（６７）前記１つ以上の歯科用コンポーネントが、コーピングとアバットメントを含むか、
前記少なくとも１つの歯科用コンポーネントが、前記仮連結機構によって前記アバットメントと連結するように構成された前記コーピングを含むか、または
前記少なくとも１つの歯科用コンポーネントが、前記仮連結機構によって前記コーピングと連結するように構成された前記アバットメントを含む、
（５９）に記載の方法。
（６８）前記アバットメントが、第２の連結機構を備え、前記アバットメントが、前記第２の連結機構によって前記インプラントに連結するように構成されている、（６７）に記載の方法。
（６９）歯科用修復物の作製方法であって、
ｃ）スナップフィット及び／または摩擦嵌めによる連結を用いて、アダプターなどの第１の歯科用コンポーネントを、顎骨に取り付けた歯科用インプラントに連結して、前記第１の歯科用コンポーネントの少なくとも一部が、軟組織に面するようにすることであって、前記第１の歯科用コンポーネントが、前記歯科用インプラントから外れないように設計されている、前記連結することと、
ｄ）少なくとも別の歯科用コンポーネントを前記第１の歯科用コンポーネントに連結することと、
を含む方法。
（７０）別の歯科用コンポーネントを連結することが、ヒーリングアバットメント、印象コンポーネントまたは口腔内スキャンポストを前記第１の歯科用コンポーネントに連結することを含む、（６９）に記載の方法。
（７１）別の歯科用コンポーネントを連結することが、固定具を用いて、傾斜したねじチャネルを含む補綴物を、前記第１の歯科用コンポーネントに連結することを含む、（６９）に記載の方法。
【図面の簡単な説明】
【００１５】
本開示の上記及びその他の特長は、添付の図面とともに検討すれば、下記の説明と添付の請求項から、更に十分に明らかになるであろう。これらの図面は、本開示によるいくつかの実施形態を示しているに過ぎず、本開示の範囲を限定するものとはみなされないという理解のもと、添付の図面を用いて、更に具体的かつ詳細に、本開示について説明する。
【００１６】
【図１】補綴システムのアンカー部、コーピング及び補綴物の実施形態の概略図を示している。
【００１７】
【図２】図１のシステムの切削治具、位置合わせ治具、コーピング及び補綴物の実施形態の概略図を示している。
【００１８】
【図３】仮補綴システムを取り付ける第１の方法のフローチャートを示している。
【００１９】
【図４】仮補綴システムを取り付ける第２の方法のフローチャートを示している。
【００２０】
【図５】補綴システムの補綴物の別の実施形態の正面立面図を示している。
【００２１】
【図６】補綴システムのインプラントとアバットメントの実施形態の側面立面図を示している。
【００２２】
【図７Ａ】補綴システムのコーピングの実施形態の断面図を示している。
【００２３】
【図７Ｂ】ばね要素の実施形態の上面図を示している。
【００２４】
【図７Ｃ】ばね要素の別の実施形態の上面図を示している。
【００２５】
【図８】図５の補綴物、図６のアバットメント及び図７のコーピングの断面図を示している。
【００２６】
【図９】接着剤の付いた図８の器具の断面図を示している。
【００２７】
【図１０】図５の補綴物と図７のコーピングとに取り付けた位置合わせ治具と切削治具の実施形態の断面図を示している。
【００２８】
【図１１】第２の構成である図１０の器具の断面図を示している。
【００２９】
【図１２】固定具で取り付けた図９の器具の断面図を示している。
【００３０】
【図１３】アバットメントとコーピングの別の実施形態の側面立面図を示している。
【００３１】
【図１４】アバットメントの別の実施形態の斜視図を示している。
【００３２】
【図１５】図１４のアバットメントの側面立面図を示している。
【００３３】
【図１６】アバットメントの別の実施形態の斜視図を示している。
【００３４】
【図１７】図１６のアバットメントの断面図を示している。
【００３５】
【図１８】コーピングの別の実施形態の斜視図を示している。
【００３６】
【図１９】図１８のアバットメントの断面図を示している。
【００３７】
【図２０】図１６のアバットメントと図１８のコーピングとを併せて取り付けた断面図を示している。
【００３８】
【図２１】２ピースコーピングの実施形態の側面立面図を示している。
【００３９】
【図２２】図２１の２ピースコーピングの断面図を示している。
【００４０】
【図２３】アバットメントと連結ねじの実施形態に取り付けた図２１の２ピースコーピングの断面図を示している。
【００４１】
【図２４】２ピースコーピングの別の実施形態の側面立面図を示している。
【００４２】
【図２５】図２４の２ピースコーピングの断面図を示している。
【００４３】
【図２６】アバットメントと連結ねじの実施形態に取り付けた図２４の２ピースコーピングの断面図を示している。
【００４４】
【図２７Ａ】アバットメントの別の実施形態の斜視図を示している。
【００４５】
【図２７Ｂ】図２７Ａのアバットメントの断面図を示している。
【００４６】
【図２７Ｃ】アバットメントの別の実施形態の斜視図を示している。
【図２７Ｄ】アバットメントの別の実施形態の斜視図を示している。
【図２７Ｅ】アバットメントの別の実施形態の斜視図を示している。
【００４７】
【図２８Ａ】アバットメントの別の実施形態の斜視図を示している。
【００４８】
【図２８Ｂ】図２８Ａのアバットメントの断面図を示している。
【００４９】
【図２９Ａ】アバットメントの別の実施形態の斜視図を示している。
【００５０】
【図２９Ｂ】図２９Ａのアバットメントの断面図を示している。
【００５１】
【図３０Ａ】コーピングの別の実施形態の斜視図を示している。
【００５２】
【図３０Ｂ】図３０Ａのコーピングの断面図を示している。
【００５３】
【図３１】図３０Ａ及び３０Ｂのコーピングと嵌合するように構成されたアバットメントの例の斜視図を示している。
【００５４】
【図３２Ａ】仮補綴システムを連結する方法の実施形態の例を示している。
【図３２Ｂ】仮補綴システムを連結する方法の実施形態の例を示している。
【図３２Ｃ】仮補綴システムを連結する方法の実施形態の例を示している。
【図３２Ｄ】仮補綴システムを連結する方法の実施形態の例を示している。
【００５５】
【図３３Ａ】アダプターの実施形態の斜視図を示している。
【００５６】
【図３３Ｂ】アダプターの別の実施形態の斜視図を示している。
【００５７】
【図３４】アダプターに連結できるコンポーネントの例を示している。
【図３５】アダプターに連結できるコンポーネントの例を示している。
【図３６】アダプターに連結できるコンポーネントの例を示している。
【発明を実施するための形態】
【００５８】
以下では、添付の図面を参照しながら、補綴システムと補綴方法の実施形態について説明する。図面においては、全体を通じて、同様の参照番号は、同様または類似の要素を指す。いくつかの実施形態、実施例及び例示が下に開示されるが、本明細書に記載されている発明は、具体的に開示されている実施形態、実施例及び例示に限定されず、本発明の他の用途、ならびに、本発明の明らかな修正形態及び均等物を含むことができることは、当業者には分かるであろう。本明細書に示されている説明で用いられている用語は、本発明の特定の具体的な実施形態の詳細な説明との関連で用いているに過ぎないので、いかなる限定または制限的な形でも解釈されるように意図されていない。加えて、本発明の実施形態は、いくつかの新規な特長を含むことができ、１つの特長のみが、望ましい特性を単独で担ったり、本明細書に説明されている発明を実施するのに不可欠であったりすることはない。
【００５９】
以下の説明では、単なる参照目的である特定の用語が用いられている場合があり、すなわち、それらの用語は、限定することは意図されていない。例えば、「上」または「下」などの用語は、参照する図面における方向を指す。「近位」、「遠位」、「前」、「裏」、「後ろ」及び「側部」などの用語は、考察中のコンポーネントまたは要素を説明している文章および関連図面を参照することにより明確になる、一貫しているが任意の参照枠内でのコンポーネントまたは要素の部分の向き及び／または位置を説明している。そのような用語には、上で具体的に言及されている単語、それらの派生語、及び類似の意味の単語が含まれ得る。
【００６０】
本明細書で使用する場合、「近位」という用語は、器具及びシステムの部分のうち、その器具及びシステムの術者（例えば医師）に近い方に位置する部分を指し、概して、その器具及びシステムの部分のうち、その器具及びシステムの埋入位置から遠くの方に位置する部分を指すことになる。「遠位」という用語は、器具及びシステムの部分のうち、その器具及びシステムの術者（例えば医師）から遠くの方に位置する部分を指し、概して、その器具及びシステムの部分のうち、その器具及びシステムの埋入位置に近い方の部分を指すことになる。
【００６１】
説明するように、ある特定の実施形態は、顎顔面補綴システム及びそのシステムの使用方法に関する。より具体的には、一実施形態は、歯科用仮補綴システムと、歯科用仮補綴システムを患者に取り付ける方法に関するものである。本システム及び方法は、例えば、歯科用インプラントを患者の顎に取り付けてから数日以内、かつ恒久的な補綴物を作製して取り付ける前に、用いることができる。場合によっては、本システム及び方法は、歯科用インプラントを患者の顎に取り付けた直後に用いることができる。したがって、治癒期間中、かつインプラントが完全にオステオインテグレーションする前に、装着可能な補綴物を患者に提供できる。
【００６２】
しかしながら、場合によっては、本明細書における図及び説明では、上顎弓及び／または下顎弓に沿って留置するためのフルブリッジの形態の歯科用仮補綴物について言及されているが、修正実施形態においては、補綴物は、いずれのタイプの補綴物であることもでき、そのような補綴物としては、部分ブリッジ及びクラウンが挙げられるが、これらに限らない。また、場合によっては、本明細書における図及び説明では、１つの歯冠の形態の歯科用仮補綴物について言及されているが、修正実施形態においては、補綴物は、いずれのタイプの補綴物であることができることが理解されるべきであり、そのような補綴物としては、部分ブリッジ及びフルブリッジが挙げられるが、これらに限らない。換言すると、１本の歯の修復または複数の歯の修復のいずれにも、本明細書に記載されている様々な特長を用いることができる。加えて、いくつかの例では、図示されている歯科用コンポーネント（例えばコーピング）と関連付けながら、様々な特長が記載され、示されているが、修正実施形態においては、それらの特長をいずれのタイプの歯科用コンポーネント（例えば、アバットメント、インプラントなど）と関連付けることができる。さらに、本明細書に記載されているシステム及び方法は、仮着用の性質を帯びるものとして記載されている場合があるが、そのようなシステム及び方法は、恒久的な補綴物の作製及び取り付けにも適用できる。
【００６３】
歯科用仮補綴物及び取り付けシステム
図１を参照すると、歯科用補綴物及び取り付けシステム１００の実施形態が、概略的に示されている。システム１００は、患者の骨１０に連結するためのアンカー部１０２、ならびにコーピング１３０と、補綴物１４０とを含むことができる。下で説明されるように、コーピング１３０は、アンカー部１０２に連結でき、補綴物１４０は、コーピング１３０に連結できる。いくつかの実施形態では、アンカー部１０２は、歯科用インプラントのような骨インプラント１１０と、マルチユニットアバットメントのようなアバットメント１２０とを含むことができる。図示されている配置では、アバットメント１２０は、骨インプラント１１０に、連結ねじ１６によって、取り外し可能な状態で連結できる。いくつかの実施形態では、インプラント１１０とアバットメント１２０は、一体部分をなすことができる。さらに、アンカー部１０２のある特定のコンポーネントは、省くことができることが理解されるべきである。例えば、いくつかの実施形態では、アバットメント１２０をアンカー部１０２から省略して、その代わりに、コーピング１３０を直接インプラント１１０に取り付けるようにできる。別の例として、いくつかの実施形態では、コーピング１３０とアバットメント１２０は、一体部分をなして、その組み合わさったコーピング１３０／アバットメント１２０を直接インプラント１１０に取り付けるようにできる。そのようないくつかの場合では、組み合わさったコーピング１３０／アバットメント１２０は、単にコーピング１３０または単にアバットメント１２０と称することができる場合がある。別の配置では、連結ねじ１６を省くことができるとともに、アバットメント１２０が、インプラント１１０に挿入されるねじ山状端部を含むことができる。
【００６４】
下に更に詳しく説明するように、各種コンポーネントを併せて連結するのに用いるある特定の連結機構は、コンポーネントを互いから外しやすいように設計することができる。いくつかの実施形態では、連結機構は、「スナップフィット」式の連結部を形成し、この連結部としては、ばね、クリップ、弾性ディンプルまたはボスが挙げられるが、これらに限らず、これらを用いて、コンポーネントを互いに連結しやすくするとともに、互いから外しやすくできる。例えば、コーピング１３０は、「スナップフィット」式の連結部を用いて、アバットメント１２０に連結できる。したがって、いくつかの実施形態では、コーピング１３０は、まず、「スナップフィット」によってアバットメント１２０に連結し、その後、アバットメント１２０から離れる方向に、スナップフィットを上回る離脱力を加えることによって、アバットメント１２０から外すことができる。別の例として、「スナップフィット」式の連結部を用いて、コーピング１３０、アバットメント１２０、またはコーピング１３０／アバットメント１２０を組み合わせたものを直接、インプラント１１０に連結できる。したがって、いくつかの実施形態では、コーピング１３０、アバットメント１２０、またはコーピング１３０／アバットメント１２０を組み合わせたものを、まず、「スナップフィット」によってインプラント１１０に連結し、その後、インプラントから離れる方向に、「スナップフィット」を上回る離脱力を加えることによって、インプラント１１０から外すことができる。
【００６５】
しかしながら、別の実施形態では、例えば、押さえカラー、または締めるとコンポーネント間を摩擦嵌めできるその他の機構、２つのコンポーネント間の接着剤などを含め、他のタイプの仮連結機構も用いることができる。いくつかの実施形態では、歯科用コンポーネントの一部を別の歯科用コンポーネントの表面に押しつけて、摩擦嵌めまたは締まり嵌めをすることができる。いくつかのそのような実施形態では、第１の歯科用コンポーネントの遠位部分を第２の歯科用コンポーネントの近位部分と摩擦嵌めすることができる。第１の歯科用コンポーネントは、コーピング１３０を含むことができ、第２の歯科用コンポーネントは、アバットメント１２０を含むことができる。別の例として、第１及び第２の歯科用コンポーネントは、マルチユニットアバットメントの２つの部分を含むことができる。更に別の例として、第１の歯科用コンポーネントは、コーピング１３０、アバットメント１２０、またはコーピング１３０／アバットメント１２０を組み合わせたものを含むことができ、第２の歯科用コンポーネントは、インプラント１１０を含むことができる。場合によっては、第１の歯科用コンポーネントの遠位部分は、外面の部分を含むことができ、第２の歯科用コンポーネントの近位部分は、内面（例えば、凹部、穴または空洞の内壁）を含むことができる。いくつかの別の場合では、第１の歯科用コンポーネントの遠位部分は、内面（例えば、凹部、穴または空洞の内壁）の部分を含むことができ、第２の歯科用コンポーネントの近位部分は、外面を含むことができる。いくつかの実施形態では、しきい値を下回る力が加わったときには、これらの２つのコンポーネントの位置と向きが保たれるが、これらの２つのコンポーネントに、しきい離脱力が加わったときには、外せるように、摩擦嵌めまたは接着剤によって、十分な初期保持力もたらすことができる。概して、仮連結機構を解除して、コンポーネントを外すのに必要とされるしきい力は、患者の骨を損傷しないように選択する必要がある。インプラント１１０を外科的に埋入した直後または間もなく、補綴システムを取り付ける仮補綴システムの場合に、このことは特に重要である。
【００６６】
引き続き図１を参照すると、上述のように、システム１００は、患者の骨１０に取り付けるための１本以上のインプラント１１０（例えば歯科用インプラント）を含むことができる。いくつかの実施形態では、インプラント１１０は、患者の顎の中に配置されるとともに、患者の顎とオステオインテグレーションするように設計された遠位端１１２と、アバットメント１２０（またはコーピング１３０もしくはコーピング１３０／アバットメント１２０を組み合わせたもの）のような別の歯科用コンポーネントを取り付けられるように設計された近位端１１４とを備えるモノリシック構造を有することができる。いくつかの実施形態では、インプラント１１０のオステオインテグレーションが完了したら患者に取り付ける恒久的な補綴物の性質と、患者の骨の構造などの要因に基づき、１本以上のインプラント１１０を、患者の顎の中に、複数の埋入位置で配置できる。いくつかの実施形態では、患者にクラウン（すなわち、１本の歯を有する補綴物）を取り付けるときには、１本のインプラント１１０を用いることができる。別の実施形態では、患者に部分ブリッジまたはフルブリッジ（すなわち、複数の歯を有する補綴物）を取り付けるときには、２本以上のインプラント１１０を用いることができる。例えば、いくつかの術式においては、歯科用フルブリッジ補綴物を取り付けるのに、４本のインプラント１１０を用いることができる。そのような技法は、例えば、Ｎｏｂｅｌ  ＢｉｏｃａｒｅのＡｌｌ−Ｏｎ−４（登録商標）という術式の一部として用いることができる。もちろん、いくつかの術式においては、アンカー部１０２は不要であるので、システム１００からインプラント１１０を完全に除外できると医師が判断することもあることが理解されるべきである。例えば、患者の既存の歯が、補綴物を保持するのに十分であるときに、上記の判断がなされることがある。
【００６７】
インプラント１１０を骨１０に取り付けるために、インプラント１１０は、少なくとも外面の一部に沿って、ねじ山または類似の機構を含むことができる。いくつかの実施形態では、インプラント１１０は、インプラント１１０を埋入位置の中に配置したときに、骨１０に隣接する外面に少なくとも部分的に沿って、ねじ山を含むことができる。例えば、インプラント１１０の遠位端１１２に近接する外面に少なくとも部分的に沿って、ねじ山を設けることができる。もちろん、ねじ山または類似の機構は、インプラント１１０の近位端１１４の方に延びることも、または、主に近位端１１４に配置することもできることが理解されるべきである。
【００６８】
インプラント１１０は、アバットメント１２０（またはコーピング１３０もしくはコーピング１３０／アバットメント１２０を組み合わせたもの）のような別の歯科用コンポーネントに取り付けるために、その別の歯科用コンポーネント上の対応する連結機構と相互作用するように設計された１つ以上の連結機構を含むことができる。いくつかの実施形態では、インプラント１１０は、アバットメント１２０及び／または固定具の一部を少なくとも部分的に受け入れるサイズ及び形状の穴または空洞のような内側の連結要素を１つ以上含むことができる。例えば、図示されている実施形態に示されているように、インプラント１１０は、連結ねじ１６のようなねじを取り付けることができるねじ穴１１６を含むことができる。加えて、インプラント１１０は、アバットメント１２０の外側ローブまたは外側ヘックスに対応する内側ローブまたは内側ヘックスを備えることができる位置合わせ機構１１５を含むことができる。インプラント１１０の穴１１６は、例えば、テイパー状連結部のような追加の要素を含むことも、または含む要素の数が少ないこともできる。別の実施形態では、インプラント１１０は、アバットメント１２０内の対応する凹部に入れることができる外側の機構（例えば、外側ローブまたは外側ヘックスなど）を含むことができる。いくつかの実施形態では、位置合わせ機構１１５は、インプラント１１０の近位端１１４に、または近位端１１４に近接させて配置することができる。位置合わせ機構１１５は、歯科用コンポーネントを位置合わせ機構１１５とねじ穴１１６に入れられるように、インプラント１１０の近位面に沿って配置された開口を有することができる。
【００６９】
いくつかの実施形態では、インプラント１１０は、インプラント１１０と歯科用コンポーネントとの連結を促進及び強化するための追加の機構を含むことができる。例えば、インプラント１１０は、歯科用コンポーネントとの連結を強化するために、溝、ディンプル、粗面などを含むことができる。別の例として、歯科用コンポーネントが、インプラント１１０に対して回転できないように、インプラント１１０は、他の楔留め機構を含むことができる。そのような楔留めコンポーネントとしては、穴に特殊な断面形状をもたせるか、または、歯科用コンポーネントを所定の数の向きに挿入可能にするスロット、チャネル、突起もしくはその他の構造を加えることによるものが挙げられる。さらに、インプラント１１０は、歯科用コンポーネントを確実に嵌合するとともに、そのコンポーネントがインプラント１１０から不用意に外れる可能性を低下させる他の連結機構を含むことができる。例えば、インプラント１１０は、歯科用コンポーネントの対応する「スナップフィット」コネクターを確実に嵌合するために、「スナップフィット」コネクターを含むことができる。そのような機構は、例えば、インプラント１１０の内面、外面または両方に配置できる。
【００７０】
引き続き図１を参照すると、上記のように、システム１００は、１つ以上の別の歯科用コンポーネントに取り付けるためのアバットメント１２０を１つ以上含むことができる。例えば、アバットメント１２０は、内側の穴１２５を通るとともに、インプラント１１０のねじ穴１１６のねじ山と嵌合する連結ねじ１６によって、インプラント１１０に連結するマルチユニットアバットメントであることができる。いくつかの実施形態では、アバットメント１２０は、インプラント１１０に挿入するように設計された遠位端１２２と、コーピング１３０のような別の歯科用コンポーネントに取り付けられるように設計された近位端１２４とを備えるモノリシック構造を有することができる。もちろん、アバットメント１２０は、２つ以上のサブコンポーネントから形成することもできることが理解されるべきである。例えば、アバットメント１２０は、インプラント１１０に取り付ける遠位端１２２を形成する遠位サブコンポーネントと、別の歯科用コンポーネントに取り付ける近位端１２４を形成する近位サブコンポーネントとを有することができる。近位サブコンポーネントと遠位サブコンポーネントを併せて取り付けて、アバットメント１２０を形成できる。
【００７１】
アバットメント１２０は、インプラント１１０のような歯科用コンポーネントに取り付けるために、インプラント１１０に取り付けるとともに、不用意に外れる可能性を低下させる対応する連結機構を１つ以上含むことができる。上記のように、いくつかの実施形態では、アバットメント１２０は、連結ねじ１６を用いて、インプラント１１０に取り付けることができる。いくつかの実施形態では、アバットメント１２０が、インプラント１１０の対応するねじ山と嵌合できるように、アバットメント１２０は、遠位端１２２の外面に少なくとも部分的に沿って、ねじ山を含むことができる。いくつかの実施形態では、アバットメント１２０は、インプラント１１０内の対応する連結機構に入る弾性変形可能な部材を含むことができ、これにより、有益なことに、「スナップフィット」及び／または摩擦嵌めによる連結をもたらす。バヨネット式取り付け構造のような他のタイプの連結機構も使用できる。アバットメント１２０に穴または空洞がある場合には、そのような連結機構は、アバットメント１２０の内面に沿って搭載することもできることが理解されるべきである。
【００７２】
インプラント１１０に対してアバットメント１２０を位置合わせしやすくするために、アバットメント１２０は、インプラント１１０の楔留め機構に対応する楔留め機構を含むことができる。例えば、アバットメント１２０の少なくとも一部は、インプラント１１０の穴の非円形断面に対応する非円形断面を有することができる。例えば、アバットメント１２０は、インプラント１１０の位置合わせ機構１１５と対応する位置合わせ機構１２１を含むことができる。例えば、位置合わせ機構１１５は、複数の外側ローブまたは外側ヘックス形状を有することができる。いくつかの実施形態では、固定する前に、適切に位置合わせが行われるように、アバットメント１２０は、インプラント１１０の対応するスロット、溝または突起と揃うスロット、溝またはその他の突起を含むことができる。
【００７３】
アバットメント１２０は、コーピング１３０のような別の歯科用コンポーネント、ならびに／または例えば、歯科用修復物もしくは歯科用修復物コンポーネント（例えば、マルチユニットブリッジ及び／もしくは修復物）のような歯科用コンポーネントに取り付けるために、いくつかの実施形態では、その別の歯科用コンポーネントの対応する仮連結機構と相互作用するように設計された仮連結機構１２６を１つ以上含むことができる。例えば、いくつかの実施形態では、アバットメント１２０は、外面に沿って配置されたスロットまたは突起であって、その別の歯科用コンポーネントの対応する突起またはスロットと嵌合するように構成されたスロットまたは突起を含むことができる。したがって、仮連結機構１２６は、アバットメント１２０の近位端１２４に、または近位端１２４に近接させて配置できる。上で論じたように、一実施形態では、仮連結機構１２６は、アバットメント１２０と別の歯科用コンポーネント（コーピング１３０など）とを「スナップフィット」及びまたは摩擦嵌めにより連結できるように設計でき、それによって、有益なことに、離脱力を加えることによって、アバットメント１２０と、その別の歯科用コンポーネント（例えばコーピング１３０）とを容易に外すことができる。本開示を通じて明らかになるように、歯科用コンポーネントをアバットメント１２０から容易に外せる機能により、患者の顎に最終的に取り付けるための仮補綴物システム１００の調製を容易にできる。
【００７４】
いくつかの実施形態では、仮連結機構１２６は、アバットメント１２０の内面に搭載できることが理解されるべきである。例えば、仮連結機構１２６は、アバットメント１２０の穴（穴１２５など）の内面の全体または一部のいずれかに沿って配置できる。さらに、いくつかの実施形態では、仮連結機構１２６は、コンポーネント１２０に配置した接着剤コンポーネントであることができる。そのような接着剤は、しきい離脱力を加えたら剥がれるように選択できる。
【００７５】
いくつかの実施形態では、アバットメント１２０は、コーピング１３０のような別の歯科用コンポーネントの対応する連結機構と相互作用するように設計された連結機構を含むことができる。図示されている実施形態に示されているように、その連結機構は、雌ねじ穴１２８であることができる。雌ねじ穴１２８は、コーピング１３０をアバットメント１２０に連結するのに用いる補綴ねじと嵌合できる。いくつかの実施形態では、雌ねじ穴１２８は、アバットメント１２０の近位端１２４に、または近位端１２４に近接させて配置できる。その歯科用コンポーネント、別の固定具、または両方が穴１２８に入るように、この穴は、第１のアバットメント１２０の近位面に沿って配置された開口を有することができる。穴１２８の直径は、穴１２５の直径よりも大きいように示されているが、穴１２８の直径は、穴１２５の直径と同じであることができることが理解されるべきである。さらに、穴１２８は、穴１２５と同軸上に示されているが、２つの穴１２５、１２８は、非同軸上であることができることが理解されるべきである。いくつかの実施形態では、連結機構は、アバットメント１２０の外面に沿って配置できる。しかしながら、連結機構は、省くことができることが理解されるべきである。例えば、いくつかの実施形態では、コーピング１３０をアバットメント１２０に連結するのに用いる補綴ねじは、連結ねじ１６自体の雌ねじ山と、そのような雌ねじ山が搭載されている場合、嵌合できる。
【００７６】
引き続き図１を参照すると、システム１００は、１つ以上の歯科用コンポーネントに取り付けるためのコーピング１３０を１つ以上含むことができる。いくつかの実施形態では、コーピング１３０は、アバットメント１２０またはインプラント１１０のような歯科用コンポーネントに取り付けるように設計された遠位端１３２と、仮補綴物１４０のような別の歯科用コンポーネントを取り付けられるように設計された近位端１３４とを備えるモノリシック構造を有することができる。
【００７７】
コーピング１３０は、アバットメント１２０のような歯科用コンポーネントに取り付けるために、アバットメント１２０の仮連結機構１２６のような対応する連結機構と相互作用するように設計された連結機構を１つ以上含むことができる。いくつかの実施形態では、コーピング１３０は、アバットメント１２０の一部を少なくとも部分的に受け入れるサイズ及び形状の空洞１３６または穴であって、仮連結機構１２６と嵌合するように、内面に沿って連結機構を含む空洞１３６または穴を含むことができる。いくつかの実施形態では、空洞１３６は、コーピング１３０の遠位端１３２に、または遠位端１３２に近接させて配置できるとともに、歯科用コンポーネントを空洞１３６に入れられるように、コーピング１３０の遠位面に沿って配置された開口を有することができる。
【００７８】
この連結機構は、内面（空洞１３６の内面など）に沿って配置された環状の突起または環状のスロットであって、アバットメント１２０の対応する機構（仮連結機構１２６など）に嵌合するように構成された突起またはスロットを含むことができる。したがって、いくつかの実施形態では、コーピング１３０とアバットメント１２０はいずれも、「スナップフィット」及び／または摩擦嵌めによる連結を用いて保持することができる。これにより、有益なことに、コーピング１３０とアバットメント１２０を容易に外せるようにできる。バヨネット式取り付け構造のような他のタイプの連結機構も使用できる。さらに、いくつかの実施形態では、この連結機構は、コーピング１３０に配置された接着剤コンポーネントであることができる。そのような接着剤は、しきい離脱力が加わると剥がれるように選択できる。この連結機構は、コーピング１３０の外面に沿って設けることもできることが理解されるべきである。
【００７９】
いくつかの実施形態では、コーピング１３０は、コーピング１３０とアバットメント１２０との連結を促進及び強化するための機構を含むことができる。例えば、コーピング１３０をアバットメント１２０に対して位置合わせしやすくするために、コーピング１３０は、アバットメント１２０の楔留め機構に対応する楔留め機構を含むことができる。例えば、コーピング１３０の空洞１３６の少なくとも一部は、アバットメント１２０の非円形断面に対応する非円形断面を有することができる。いくつかの実施形態では、コーピング１３０は、アバットメント１２０の対応するスロット、溝または突起と揃うスロット、溝またはその他の突起を含むことができる。そのような機構は、例えば、コーピング１３０の内面、外面または両方に配置できる。例えば、そのような機構は、空洞１３６の内面に沿って配置できる。
【００８０】
いくつかの実施形態では、コーピング１３０がアバットメント１２０から不用意に外れる可能性を低下させるために、コーピング１３０は、追加の連結機構を含むことができる。例えば、いくつかの実施形態では、コーピング１３０とアバットメント１２０は、補綴ねじ１３８のような別個の固定具を用いて取り付けることができる。補綴ねじ１３８は、コーピング１３０の穴１３９を通って、アバットメント１２０の連結機構（ねじ穴１２８など）または連結ねじ１６の連結機構に確実に嵌合でき、それによって、コーピング１３０をアバットメント１２０にしっかり取り付ける。これにより、有益なことに、コーピング１３０がアバットメントから不用意に外れる可能性を更に低下させることができる。いくつかの実施形態では、穴１３９は、コーピング１３０に事前には搭載せず、後から形成できる点に注意する必要がある。
【００８１】
コーピング１３０は、別の歯科用コンポーネントに取り付けるために、別の歯科用コンポーネントに取り付けるとともに、不用意に外れる可能性を低下させる、対応する連結機構を含むことができる。いくつかの実施形態では、コーピング１３０は、別の歯科用コンポーネントの対応する機構に確実に嵌合するために、凸部、突起またはその他の機構を備えることができる。
【００８２】
引き続き図１を参照すると、システム１００は、歯科用コンポーネントに取り付けるための仮補綴物１４０を１つ以上含むことができる。いくつかの実施形態では、仮補綴物１４０は、コーピング１３０（またはコーピング１３０／アバットメント１２０を組み合わせたものもしくはアバットメント１２０）などの歯科用コンポーネントに取り付けるように設計された遠位端１４２と、対合歯と接するように設計された近位端１３４とを備えるモノリシック構造を有することができる。
【００８３】
仮補綴物１４０は、コーピング１３０に取り付けるために、コーピング１３０の対応する連結機構と相互作用するように設計された連結機構を１つ以上含むことができる。いくつかの実施形態では、仮補綴物１４０は、コーピング１３０の一部を少なくとも部分的に受け入れるサイズ及び形状の空洞１４６または穴を含むことができる。いくつかの実施形態では、空洞１４６は、仮補綴物１４０の遠位端１４２に、または遠位端１４２に近接させて配置できる。コーピング１３０がその穴に入るように、空洞１４６は、仮補綴物１４０の遠位面に沿って配置された開口を有することができる。いくつかの実施形態では、空洞１４６は、仮補綴物１４０とコーピング１３０との連結を促進及び強化する連結機構を含むことができる。例えば、この穴は、仮補綴物１４０をコーピング１３０に接合するのに用いることができる接着剤１４８を含むことができる。そのような接着剤１４８としては、比較的低粘度の流体から高粘度の流体または固体に変換できる自然硬化性接着剤、光硬化性接着剤または他の接着剤を挙げることができる。いくつかの実施形態では、この穴は、自然硬化性アクリルまたは光硬化性複合材などのアクリルで埋め戻すことができる。このアクリルは、補綴物の形成に用いるものと同じ物質であることができる。ねじまたはボルトなどの別個の固定具、２つのコンポーネントを「スナップフィット」または摩擦嵌めするための弾性変形可能な部材、及び仮補綴物１４０の内面沿いにあるねじ山のようなねじ山を含む他のタイプの連結機構を使用することもできる。
【００８４】
続いて、図２を参照すると、切削システム１５０が示されており、このシステムは、切削治具１６０と位置合わせ治具１７０を含むことができる。切削システム１５０は、仮補綴システム１００の一部をなすことができる。図示されている実施形態に示されているように、位置合わせ治具１７０は、コーピング１３０に取り付けることができる。しかしながら、いくつかの実施形態では、位置合わせ治具１７０を用いない場合がある。
【００８５】
切削治具１６０は、治具１６０の外面に沿って配置された切削面を有する細長い部材であることができる。いくつかの実施形態では、切削治具１６０を治具１６０の長手軸に沿って動かしたときに、長手方向の切削を容易にするために、切削治具１６０は、尖った先端１６２を有することができる。したがって、いくつかの実施形態では、切削治具１６０は、円形断面を有するドリルビットであることができる。切削治具１６０は、有益なことに、仮補綴システム１００の歯科用コンポーネント（コーピング１３０及び仮補綴物１４０など）の中に穴を作るのに用いることができる。
【００８６】
いくつかの実施形態では、歯科用コンポーネントに穴を作りやすくするために、位置合わせ治具１７０を設けることができる。したがって、位置合わせ治具１７０は、切削治具１６０を通すことができる位置合わせ穴のような位置合わせ機構１７２を含むことができる。いくつかの実施形態では、位置合わせ穴の断面積は、切削治具１６０の断面積よりも少し大きいことができる。これにより、有益なことに、切削治具１６０が、その穴の側部と接することなく、穴を通れるようにできる。もちろん、この穴の断面積は、切削治具１６０の断面積とほぼ同じであることもできる。これにより、有益なことに、切削治具１６０と位置合わせ治具１７０との間の遊びの量を減らすことができ、それにより、切削治具１６０の位置合わせ機能が高まる。穴の断面積は、一定である必要はないことが理解されるべきである。いくつかの実施形態では、穴の一部のみを、切削治具１６０の位置合わせに用いることができる。さらに、その穴は、位置合わせ治具１７０を使用しやすくするための追加の機構（切削治具１６０を位置合わせ穴に挿入しやすくするための、位置合わせ穴の入口沿いのテイパーなど）を備えることができる。
【００８７】
さらに、この穴は、必要とされる具体的な位置合わせに応じて、位置合わせ治具１７０内の様々な位置で、配向及び配置することができる。例えば、いくつかの実施形態では、位置合わせ治具は、コーピング１３０と仮補綴物１４０の中に、少なくとも連結機構（コンポーネント１２０のねじ穴１２８など）に揃うかまたは通じる穴（図示なし）を作るのに用いることができる。いくつかの実施形態では、補綴物１４０内の穴をコーピング１３０の１つの側（例えばコーピング１３０の遠位側）から作った後、切削治具１６０または別の切削治具（例えば、切削治具１６０の直径よりも直径が大きい切削治具）を、補綴物１４０の１つの側（例えば、補綴物１４０の近位側または咬合側）から入れることによって、穴を強化及び／または拡大することもできる。続いて、コーピング１３０と補綴物１４０の穴を用いて、固定具（ねじまたはボルトなど）を通して、アバットメント１２０またはインプラント１１０の連結機構に嵌合できるようにできる。
【００８８】
いくつかの実施形態では、位置合わせ治具１７０は、コーピング１３０と仮補綴物１４０に取り付けるように設計できる。したがって、位置合わせ治具１７０は、別の歯科用コンポーネントの対応する連結機構と相互作用するように設計された連結機構１７４を含むことができる。例えば、いくつかの実施形態では、位置合わせ治具１７０は、外面に沿って配置された環状のスロットまたは環状の突起であって、別の歯科用コンポーネントの対応する機構に嵌合するように構成されたスロットまたは突起を含むことができる。いくつかの実施形態では、連結機構１７６は、アバットメント１２０の仮連結機構１２６と同様であることができる。連結機構１７６は、位置合わせ治具１７０とコーピング１３０とを「スナップフィット」及び／または摩擦嵌めによって連結できるように設計できる。これにより、有益なことに、切削作業の終了後に、位置合わせ治具１７０と別の歯科用コンポーネントを容易に外せるようにできる。連結機構１７６は、本明細書に記載されているいずれかのタイプの連結機構であることができるとともに、位置合わせ治具１７０の外面、内面または両方に搭載できる。
【００８９】
システム１００のコンポーネントは、多種多様な材料から製造でき、その材料としては、チタン、コバルト・クロム合金、形状記憶合金を含む金属、アクリルを含むポリマー、ジルコニアを含むセラミック、複合材、及び／または所望に応じたいずれかの他の材料が挙げられるが、これらに限らない。例えば、いくつかの実施形態では、システム１００は、熱が加わったときに異なる特徴を有することができる材料から製造されたケージを含むことができる。例えば、その材料は、周囲温度においては、比較的剛性な構造を有することができる一方で、やや高い温度にさらされると、可撓性または柔らかい構造を有することができる。周囲温度では、ケージを用いて、２つの別個のコンポーネントを併せて連結できる。例えば、ケージは、アバットメント１２０の仮連結機構１２６と連結するように、コーピング１３０の内側に配置できる。コーピングをアバットメントから外すためには、ケージを加熱して、ケージが、比較的柔らかい構造を有するようにすることができ、それによって、コーピングをアバットメントから切り離しやすくできる。
【００９０】
歯科用仮補綴物システムを取り付ける方法
図３には、歯科用仮補綴システム１００のような歯科用仮補綴システムを取り付ける方法３００のステップを説明しているフローチャートが示されている。明確にするために、それらのステップは、医師が行うものとして説明されているが、この施術のステップのいくつかまたは全部は、医師の助手及びその他の第三者などが挙げられるが、それらに限らない、医師以外の者も行うことができる。さらに、本明細書に記載されているステップのいくつかまたは全部は、インサイチュ（すなわち患者の口内）またはエクスサイチュのいずれかで行うことができる。例えば、本明細書に記載されているステップのいくつかまたは全部は、患者の歯の模型で行うことができる。
【００９１】
ステップ３０２に示されているように、追加の歯科用コンポーネントを設置可能にするために、医師は、取り付け機構を患者の顎に取り付けることができる。したがって、このステップの最中に、医師は、アンカー部１０２のようなアンカー部を１つ以上、患者の顎に取り付けることができる。医師は、このステップの最中に、コーピング（コーピング１３０など）を含むいずれかの追加の歯科用コンポーネントを取り付けることもできる。患者の状態のような、施術の性質に応じて、方法３００の残りは、このステップの直後、または間もなく経ってからのいずれかに行うことができる。
【００９２】
ステップ３０４に示されているように、続いて、医師は、アンカー部とコーピングに取り付ける補綴物（仮補綴物１４０など）を調製できる。いくつかの手順では、補綴物は、チェアサイドで調製できる。すなわち、医師及び／または医師の助手は、施術の過程において、補綴物を調製できる。例えば、医師及び／または医師の助手は、着脱式の部分義歯または総義歯のような患者の既存の補綴物を取って、補綴物の咬合面の反対側に、有底穴を１つ以上作ることができる。方法３００の完了時に、補綴物が概ね、患者の口内で適切な向きとなるように、これらの有底穴を位置合わせすることができる。さらに、有底穴と、コーピング及び／またはアンカー部の間に、ある程度の遊びを可能にするために、有底穴は、コーピング及び／またはアンカー部の断面積よりも少し大きい断面積を持つように形成できる。既存の補綴物の使用により、有益なことに、この施術の全体的な複雑性とコストを軽減できる。既存の補綴物の修正は、短い時間で行うことができるからである。場合によっては、この施術は、１回の処置中に行うことができる。
【００９３】
もちろん、いくつかの手順では、既存の補綴物を用いる代わりに、新たな補綴物を作製することもできる。いくつかの手順では、新たな補綴物は、補綴物に既に組み込まれた有底穴を１つ以上有するように調製できる。有益なことに、インプラントの大まかな留置位置と向きを医師が既に把握している場合に、この方法を採用できる。例えば、医師によるインプラントの留置計画に基づき、施術より前に、新たな補綴物を作製することができる。したがって、補綴物は、施術より前に作製することができ、それによって、有益なことに、１回の処置中に、補綴物を取り付けることが可能になる。いくつかの実施形態では、新たな補綴物は、インプラントを既に患者の顎に取り付けた後に作製して、医師が、インプラントの留置に関する判断を、よりきちんと行えるようにできる。別の手順では、有底穴を有さない新たな補綴物を調製して、医師が、必要と判断した場合に、有底穴を作製できるようにできる。補綴物に有底穴を作ることについて言及されているが、補綴物には、貫通穴のような他のタイプの穴を設けることもできることが理解されるべきである。
【００９４】
ステップ３０６に示されているように、医師は、仮嵌合のために、補綴物をアンカー部、コーピングまたはこれらを組み合わせたものに設置することによって、補綴物を試すことができる。このステップの最中、医師は、補綴物をアンカー部とコーピングの上に配置して、少なくともコーピングが補綴物の１つ以上の有底穴に入るようにできる。補綴物をアンカー部とコーピング上に留置したら、患者の顎と対合歯に対して、補綴物が概ね揃っているかを調べるために、医師はチェックすることができる。例えば、咬合面が概ね揃っているか、また、患者の鼻、唇、及び顎が概ね揃っているかを医師は判断できる。
【００９５】
また、咬合高径（ＶＤＯ）及び／または安静位高径（ＶＤＲ）が適切に選択されているかも医師は判断できる。ＶＤＯは、歯が咬頭嵌合位にあるときの上顎と下顎との上下関係を示す。したがって、特に、完全及び／または部分的に無歯である患者、したがって、咬頭嵌合位における位置に歯がない患者に対しては、医師は、適切なＶＤＯ及び／またはＶＤＲを判断するために、１つ以上の検査を行うことができる。例えば、補綴物をコーピングに設置したときの患者の全体的外観を医師は見て、患者の鼻、唇及び顎が、平均的な人の通常の形状にあるように見えるかを判断できる。医師は、患者によるある特定の単語の発音を聞くことによって、適切なＶＤＯ及び／またはＶＤＲを判断することもできる。補綴物をコーピングに設置した状態で、適切なＶＤＯ及び／またはＶＤＲが確立されるように、医師は、いずれの数のステップを採用することもできる。例えば、補綴物とコーピングとの距離を長くするために、医師は、コーピング及び／または補綴物のいずれかにパッドを加えることができる。補綴物とコーピングとの距離を短くするために、医師は、コーピングの最上部分を削り取るか、及び／またはドリルによって、補綴物の中の有底穴を長くすることができる。
【００９６】
医師は、補綴物を適切な配置で留置して、適切なＶＤＯ及び／またはＶＤＲを得るのに必要なのは微調節のみであるか調べるために、チェックを行うことができる。好ましくは、患者の歯を中心咬合位にして、補綴物の咬合面を対合歯と咬み合わせることによって、取り付けステップ３１０中に行ういずれの残りの調節作業を行えるように、この調節では、十分に位置合わせを行う必要がある。
【００９７】
アンカー部の位置及び／または向きが原因で、補綴物が概ね揃っていないと医師が判断した場合には、医師は、ステップ３０８に示されているように、補綴物を外して、それに応じて、アンカー部を修正することができる。例えば、顎に対して、アンカー部の位置が高すぎる場合には、医師は、アンカー部の一部（近位端など）を取り除くことによって（例えば、コーピング１３０の高さを低くすることによって）、アンカー部の全体的な高さを低くすることができる。上記とは逆に、顎に対して、アンカー部の位置が低すぎる場合には、医師は、アンカー部に部分を加えることによって、またはアンカー部の他の部分を修正することによって、アンカー部の全体的な高さを高くすることもできる。アンカー部が、不適当な角度で配置されている場合には、医師は、アンカー部の角度を修正することができる。補綴物とアンカー部とが十分に嵌合するように、アンカー部に対して、いずれかの修正を行うことができることが理解されるべきである。さらに、代替的手順として、医師は、補綴物の有底穴のサイズ、位置及び／または角度を修正して、概ね揃って嵌合するようにできることが理解されるべきである。医師は、アンカー部及び／または補綴物に適切な修正を行ったら、ステップ３０６に戻って、補綴物と、修正済みのアンカー部との嵌合を調べることができる。医師は、概ね揃って嵌合するまで、ステップ３０６及び３０８を繰り返すことができる。
【００９８】
ステップ３１０に示されているように、十分に仮嵌合したと医師が判断した後、医師は、本明細書に論じられているように、連結機構のいずれかを用いて、補綴物をコーピングに取り付けることができる。好ましくは、医師は、補綴物とコーピングが揃って、対合歯に対して適切な向きとなるように、補綴物をコーピングに取り付ける。
【００９９】
例えば、いくつかの手順では、医師は、自然硬化性接着剤、光硬化性接着剤またはその他のポリマー物質などの接着剤を補綴物に塗布することができる。いくつかの手順では、医師は、補綴物に形成した穴を、自然硬化性アクリルなどのアクリルまたは光硬化性複合材で埋め戻すことができる。いくつかの手順では、医師は、補綴物をアンカー部から外して、接着剤を有底穴に投入するか、及び／または有底穴をアクリルで埋め戻し、その接着剤及び／またはアクリルを塗布した後に、補綴物をコーピングに再び設置することができる。接合プロセス中、患者の歯は、中心咬合位にして、補綴物の咬合面を対合歯と咬み合わせるようにできる。硬化前は、接着剤及び／またはアクリルの粘度は、低いことができるので、コーピングは、有底穴内で、ある程度の遊びを有することができるため、このステップ中に、コーピングに対する補綴物の向きを更に修正または変更することができる。続いて、時間を置くか、または光などの触媒を接着剤及び／またはアクリルに導入するかのいずれかによって、補綴物とコーピングを完全に硬化させて、修正または変更した向きで、補綴物とコーピングが取り付けられるようにできる。
【０１００】
したがって、接着剤及び／またはアクリルが硬化すると、仮補綴物と対合歯との関係が、仮嵌合時よりも適切となるように、補綴物とコーピングを配置できる。これにより、仮補綴物の快適性とフィット性を大きく高めることができる。さらに、補綴物の適切な向きと位置を推測する職務を通常負うことになる医師が行う推測作業の量をかなり減らすことができる。無歯の場合では、医師が、顎と対合歯との適切な関係を更に確立可能になるので、これは特に有益となり得る。補綴物と対合歯との他の関係を選択することもできることが理解されるべきである。例えば、中心咬合位の代わりに、患者は、咬頭嵌合位で咬合して、仮補綴物を上記の向きに、適切に揃えるようにすることができる。
【０１０１】
いくつかの施術では、他の連結機構を用いて、補綴物をコーピングに取り付けることができる。例えば、仮補綴物は、固定具、「スナップフィット」、摩擦嵌め、カラーまたは他の連結機構によって、コーピングに取り付けることができる。
【０１０２】
ステップ３１２に示されているように、補綴物が少なくともコーピングに固着するほど、接着剤及び／またはアクリルが十分に硬化したら、医師は、補綴物を患者の顎から外すことができる。硬化した接着剤及び／またはアクリルによって、コーピングが補綴物に取り付けられるとともに、コーピングは、「スナップフィット」、摩擦嵌めまたはその他の類似の仮連結機構を用いて、アンカー部に取り付けることができるので、補綴物を外すと、コーピングがアンカー部から外れるようにできる。このプロセスの際、アンカー部は、位置合わせされた構成で、補綴物に取り付けたままにできる。したがって、「スナップフィット」、摩擦嵌めまたはその他の仮連結機構を解除するしきい離脱力を選択して、補綴物とコーピングをアンカー部から外すときに、補綴物とコーピングとがずれないか、またはほとんどずれないようにできることが理解されるべきである。
【０１０３】
ステップ３１４に示されているように、次に、医師は、切削治具を用いて、補綴物とコーピングに貫通孔を作ることができる。いくつかの手順では、医師は、貫通孔によって、アバットメントの連結機構につながるように、貫通孔を位置合わせできる。ステップ３１６に示されているように、補綴物をアンカー部に更にしっかり固定するために、医師は、固定具（例えば補綴ねじ）を用いて、補綴物とコーピングをアンカー部に固定できる。このステップの際、医師は、先ほど作った貫通穴に、ねじまたはボルトのような別個の固定具を挿入することができる。その別個の固定具は、アンカー部の連結機構（アバットメントの雌ねじ山など）に確実に嵌合して、その別の固定具によって、補綴物がアンカー部に取り付けられるようにできる。したがって、ねじ山を用いて、仮補綴システム全体を取り付けることができ、それによって、仮補綴システムのコンポーネントが、互いから不用意に外れる可能性が更に低くなる。
【０１０４】
図４は、歯科用仮補綴システム１００のような歯科用仮補綴システムを取り付ける方法４００のステップを説明しているフローチャートを示している。方法４００のある特定のステップは、方法３００のステップと同様である。明確にするために、方法４００のステップは、医師が行うものとして記載されているが、この施術のステップのいくつかまたは全部は、医師の助手及び他の第三者が挙げられるが、これらに限らない、他の者が行うことができることが理解されるべきである。さらに、本明細書に記載されているステップのいくつかまたは全部は、インサイチュ（すなわち、患者の口内）またはエクスサイチュのいずれかで行うことができる。例えば、本明細書に記載されているステップの一部または全部は、患者の歯の模型で行うことができる。
【０１０５】
ステップ４０２に示されているように、医師は、追加の歯科用コンポーネントを設置可能にするために、取り付け機構を患者の顎に取り付けることができる。したがって、このステップの最中に、医師は、１本以上のインプラントを患者の顎に取り付けることができる。方法３００におけるように、方法４００の残りは、このステップの直後、または間もなく経ってからのいずれかに行うことができる。
【０１０６】
ステップ４０４に示されているように、医師は、本明細書に記載されているようないずれかの連結機構及び技法を用いて、アバットメントをインプラントに取り付けることができる。例えば、いくつかの実施形態では、アバットメントは、連結ねじを用いて、インプラントに取り付けることができる。しかしながら、アバットメントをインプラントに取り付けるには、他の連結機構及び技法も用いることができることが理解されるべきである。例えば、いくつかの実施形態では、アバットメントは、「スナップフィット」による連結、摩擦嵌めによる連結、及び／または他の同様な連結機構を用いて、インプラントに取り付けることができる。
【０１０７】
ステップ４０６に示されているように、医師は、本明細書に記載されているようないずれかの連結機構及び技法を用いて、コーピングをアバットメントに取り付けることができる。例えば、いくつかの実施形態では、コーピングは、アバットメントとコーピングの「スナップフィット」式の連結機構を用いて、アバットメントに取り付けることができる。したがって、「スナップフィット」式の連結機構が適切に嵌合するまで、医師は、アバットメントの方に向かって、コーピングに十分な力を加えるだけであることができる。いくつかの実施形態では、「スナップフィット」式の連結機構は、その「スナップフィット」式の連結機構が適切に嵌合したことを知らせるように、何らかの形のフィードバックを医師に提供することができる。例えば、「スナップフィット」式の連結機構は、コーピングとアバットメントとの適切な嵌合を医師に知らせるように、聴覚フィードバック、触覚フィードバックまたはこの両方を組み合わせたものを医師に提供することができる。
【０１０８】
ステップ４０８に示されているように、続いて、医師は、コーピングに取り付けられるように、補綴物を調製できる。方法３００との関連で上で説明したように、補綴物は、患者の既存の補綴物または新たに作製した補綴物のいずれかを用いて、チェアサイドで調製できる。その補綴物には、有底穴が設けられていることができ、または、医師は、そのような有底穴を作業中に作ることができる。方法４００の完了時、補綴物が、患者の口内で適切な向きを向くように、これらの有底穴を位置合わせすることができる。さらに、有底穴は、有底穴とコーピングとの間に、ある程度遊びをもたせることができるように設計できる。
【０１０９】
ステップ４１０に示されているように、医師は、仮嵌合のために、補綴物をコーピングに設置することによって、補綴物を試すことができる。このステップの最中、医師は、補綴物をコーピングの上に配置して、コーピングが補綴物の１つ以上の有底穴に入るようにできる。補綴物をコーピングに留置したら、患者の顎と対合歯に対して、補綴物が概ね揃っているかを調べるために、医師はチェックすることができる。例えば、咬合面が概ね揃っているか、また、患者の鼻、唇、及び顎が概ね揃っているかを医師は判断できる。
【０１１０】
また、咬合高径（ＶＤＯ）及び／または安静位高径（ＶＤＲ）が適切に選択されているかも医師は判断できる。ＶＤＯは、歯が咬頭嵌合位にあるときの上顎と下顎との上下関係を示す。したがって、特に、完全及び／または部分的に無歯である患者、すなわち、咬頭嵌合位における位置に歯がない患者に対しては、医師は、適切なＶＤＯ及び／またはＶＤＲを判断するために、１つ以上の検査を行うことができる。例えば、補綴物をコーピングに設置したときの患者の全体的外観を医師は見て、患者の鼻、唇及び顎が、平均的な人の通常の形状にあるように見えるかを判断できる。医師は、患者によるある特定の単語の発音を聞くことによって、適切なＶＤＯ及び／またはＶＤＲを判断することもできる。補綴物をコーピングに設置した状態で、適切なＶＤＯ及び／またはＶＤＲが確立されるように、医師は、いずれの数のステップをも採用することもできる。例えば、補綴物とコーピングとの距離を長くするために、医師は、コーピング及び／または補綴物のいずれかにパッドを加えることができる。補綴物とコーピングとの距離を短くするために、医師は、コーピングの最上部分を削り取るか、及び／またはドリルによって、補綴物の中の有底穴を長くすることができる。
【０１１１】
医師は、補綴物を適切な配置で留置して、適切なＶＤＯ及び／またはＶＤＲを得るに必要なのは、微調節のみであるか調べるために、チェックを行うことができる。好ましくは、患者の歯を中心咬合位にして、補綴物の咬合面を対合歯と咬み合わせることによって、取り付けステップ４１６中に行ういずれの残りの調節作業を行えるように、調節は、十分に位置合わせを行う必要がある。
【０１１２】
コーピングの位置及び／または向きが原因で、補綴物がきちんと揃っていないと医師が判断した場合には、医師は、ステップ４１２に示されているように、補綴物を外して、それに応じて、コーピングを修正することができる。コーピングを修正するステップは、上記のステップ３０８との関連で説明されている。さらに、代替的な手順として、医師は、補綴物の有底穴のサイズ、位置及び／または角度を修正して、概ね揃って嵌合するようにできることが理解されるべきである。医師は、コーピング及び／または補綴物に適切な修正を行ったら、ステップ４１０に戻って、補綴物と、修正済みのコーピングとの嵌合を調べることができる。医師は、概ね揃って嵌合するまで、ステップ４１０及び４１２を繰り返すことができる。
【０１１３】
ステップ４１４に示されているように、十分に仮嵌合したと医師が判断した後、医師は、自然硬化性物質または光硬化性ポリマー物質のような接着剤を補綴物に塗布することができる。いくつかの施術では、医師は、補綴物に形成した穴を、自然硬化性アクリルなどのアクリルまたは光硬化性複合材で埋め戻すことができる。いくつかの手順では、医師は、補綴物をコーピングから外して、接着剤及び／またはアクリルを有底穴に投入することができる。選択する接着剤及び／またはアクリルの量は、コーピング上に補綴物を留置する際に、十分にコーピングを覆うのに十分でなければならない。これにより、コーピングと補綴物との連結を高めることができるからである。しかしながら、有底穴に充填しすぎて、接着剤及び／またはアクリルが他のコンポーネントまたは軟組織まではみ出すことにより、潜在的に、合併症を引き起こしたり、全体的な施術時間が長くなったりしないように注意しなければならない。もちろん、所望の接合強度に基づき、使用する接着剤及び／またはアクリルの量を増減させることができる。
【０１１４】
４１６に示されているように、医師は、接着剤を補綴物に塗布するか、及び／または有底穴をアクリルで埋め戻した後、補綴物をコーピングに接合することができる。接着剤及び／またはアクリルを有底穴に塗布した施術においては、ステップ４１０で行ったのと同じ方法で、補綴物を設置するだけで、この接合を行うことができる。接合プロセスの間、患者の歯は、中心咬合位にして、補綴物の咬合面を対合歯と咬み合わせることができる。したがって、補綴物は、有益なことに、対合歯と更に適切な関係で配置できる。補綴物と対合歯との他の関係を選択することもできる。例えば、代わりに、患者は、咬頭嵌合位で咬合して、補綴物を上記の向きに、適切に揃えるようにすることができる。
【０１１５】
ステップ４１８に示されているように、補綴物がコーピングに固着するほど、接着剤及び／またはアクリルが十分に硬化したら、医師は、補綴物をアバットメントから外すことができる。硬化した接着剤及び／またはアクリルによって、コーピングが補綴物に取り付けられるとともに、コーピングは、「スナップフィット」、摩擦嵌めまたはその他の類似の仮連結機構のみによって、アバットメントに取り付けるので、補綴物を外すと、コーピングが補綴物とともに外れるようにすることができる。さらに、コーピングは、硬化した接着剤及び／またはアクリルによって固着されたままであるので、コーピングは、位置合わせされた構成で、補綴物に取り付けたままにできる。したがって、「スナップフィット」、摩擦嵌めまたはその他の仮連結機構を解除するしきい離脱力を選択して、補綴物とコーピングをアバットメントから外すときに、補綴物とコーピングとがずれないか、またはほとんどずれないようにできることが理解されるべきである。
【０１１６】
ステップ４２０及び４２２に示されているように、ねじまたはボルトのような固定具が補綴物とコーピングを貫通できるように、補綴物とコーピングに貫通穴を作ることができる。これらのステップの最中、医師は、切削治具１６０のような切削治具を用いて、貫通穴を調製することができる。
【０１１７】
ステップ４２０に示されているように、貫通穴の適切な留置と位置合わせを補助するために、医師は、まず、位置合わせ治具１７０と同様の位置合わせ治具をコーピングに取り付けることができる。いくつかの手順では、位置合わせ治具は、「スナップフィット」、摩擦嵌めまたは他の仮連結機構を用いて、コーピングに取り付けることができる。いくつかの施術では、位置合わせ治具が、コーピングに対して適切な向きを向くように、位置合わせ治具は、楔留めすることができる。位置合わせ治具をコーピングに取り付けたら、医師は、ステップ４２２に示されているように、位置合わせ穴１７２のような位置合わせ機構を通じて、切削治具を挿入して、コーピングと補綴物に貫通孔を作ることができる。いくつかの実施形態では、位置合わせ治具１７０は使用しなくてもよい。いくつかの実施形態では、ステップ４２２には、咬合面からコーピングに向かって、補綴物を通る追加の孔を作る追加のステップを含めることができる。この追加の孔の直径は、元の貫通穴よりも大きいことができ、元の貫通穴と概ね同軸上であることができる。このステップは、用いる固定具が元の貫通穴よりも大きいときに行うことができる。
【０１１８】
ステップ４２４に示されているように、補綴物をアバットメントに更にしっかり固定するために、医師は、補綴物をアバットメントに固定するのに、固定具を用いることができる。このステップの最中、医師は、ねじまたはボルトのような別個の固定具を、先ほど作った貫通穴に挿入することができる。その別個の固定具は、アバットメントの連結機構（雌ねじ山など）に確実に嵌合して、その別の固定具によって、補綴物とコーピングがアバットメントに取り付けられるようにできる。したがって、ねじ山を用いて、仮補綴システム全体を取り付けることができ、それによって、仮補綴システムのコンポーネントが不用意に外れる可能性が低くなる。
【０１１９】
ステップ４２６に示されているように、続いて、医師は、貫通穴をシール剤でふさいで、補綴物の外観を高めるとともに、貫通孔の中に異物が溜まるのを防ぐか、または少なくともその可能性を低下させることができる。恒久的補綴システムを取り付ける前などの場合のように、補綴物を外す際には、医師は、シール剤を除去して、別個の固定具が再び通るようにするとともに、補綴物とコーピングをアバットメントから外すことができる。
【０１２０】
歯科用仮補綴物及び取り付けシステム
図５を参照すると、本明細書に記載されている歯科用仮補綴物システムで用いることができる仮補綴物の実施形態５１０が示されている。仮補綴物５１０は、１本以上の補綴歯５１４が取り付けられている床５１２を含むことができる。床５１２は、歯５１４が取り付けられている第１の側と、第１の側と反対の第２の側であって、患者の顎骨に隣接する軟組織と接した状態で配置するように構成された第２の側とを含むことができる。図示されている実施形態に示されているように、仮補綴物５１０によって、上顎弓及び／または下顎弓のいずれか沿いの一連の歯の全てを補うように、仮補綴物５１０はフルブリッジであることができる。上述のように、仮補綴物５１０は、上顎弓及び／または下顎弓沿いの一連の歯の全てよりも少ない歯を補う部分ブリッジであることもできる。さらに、上述のように、仮補綴物５１０は、１本の歯を補うためのクラウンであることもできる。いくつかの実施形態では、仮補綴物５１０は、患者の既存の補綴物（総義歯または部分義歯など）であることができる。
【０１２１】
図６は、アンカー部６００のコンポーネントを示しており、アンカー部６００は、歯科用インプラント６１０とアバットメント６５０を含むことができる。図示されている実施形態では、インプラント６１０は、インプラント６１０の外面の周囲に、ねじ山６１２とフランジ６１４を含むことができる。ねじ山６１２を用いて、インプラント６１０を患者の顎の骨に固定でき、フランジ６１４は、その骨の上に置かれるように設計して、インプラント６１０が、その骨の周辺の軟組織よりも上に留まるようにできる。図示されている実施形態に示されているように、ねじ山６１２は、フランジ６１４から、インプラント６１０の遠位端６１６の方に向かって、部分的に延びていることができる。そのようなねじ山６１２は、インプラント６１０のねじ山接触面を増大させるために、フランジ６１４の方に更に延びていることができる。さらに、ねじ山６１２は、フランジ６１４よりも下の位置を始点とすることができる。本明細書に記載されているようないずれかの連結機構及び技法を用いて、インプラント６１０の近位端６１８に、アバットメント６５０を取り付けることができる。例えば、インプラント６１０は、アバットメント６５０のねじ軸に嵌合するように構成された雌ねじ穴（図示なし）を含むことができる。当然のことながら、いくつかの実施形態では、フランジ６１４は、省くことができ、ねじ山６１２は、インプラントの近位縁の方に延びていることができる。
【０１２２】
アバットメント６５０は、アバットメント６５０の近位部分６５４を取り囲む環状スロット６５２を備えることができる。この環状スロット６５２は、アバットメント６５０とコーピング７００との間で仮連結機構として機能することができる。他の形状及び設計を用いることもできる。例えば、いくつかの実施形態では、スロット６５２は、アバットメント６５０の一部のみを取り囲むことができる。さらに、アバットメント６５０は、アバットメント６５０を取り囲む環状の突起もしくはリブ、ディンプル、またはこれらのいずれかを組み合わせたものを含むことができる。いくつかの実施形態では、アバットメント６５０は、垂直に向いたスロットまたは突起を含むことができ、このスロットまたは突起は、いずれも、アバットメント６５０を、コーピング７００（図７Ａに示されている）のような別のコンポーネントと位置合わせしやすくできる。アバットメント６５０は、連結機構として、ピンもしくはダウエルピン、または取り付けられるコンポーネント上のピンもしくはダウエルピンを受け入れるように構成された穴を含むことができる。いくつかの実施形態では、アバットメント６５０では、スロット６５２を省くことができる。
【０１２３】
図示されている実施形態に示されているように、アバットメント６５０の近位部分は、その近位端に向かって細くなる円すい台形状を有することができる。しかしながら、アバットメント６５０の近位部分は、いずれの他のタイプの形状をも有することができ、回転対称性を示す必要はないことが理解されるべきである。上記のように、アバットメント６５０の近位部分及び／または遠位部分（図示なし）を楔留めして、アバットメント６５０に取り付けられるコンポーネントが、ある特定の向きのみを向くようにできる。
【０１２４】
次に、図７Ａを参照すると、コーピング７００は、アバットメント６５０の近位部分の少なくともある部分を受け入れるサイズ及び形状の空洞７０４を有する遠位部分７０２を含むことができる。空洞７０４は、アバットメント６５０の形状と同様の円すい台形状またはいずれの他の形状をも有することができる。好ましくは、空洞７０４は、アバットメント６５０の形状と密に嵌合する形にすることができる。いくつかの実施形態では、取り付け前に、アバットメント６５０とコーピング７００が適切に位置合わせ及び配向されるように更にするために、空洞７０４は、アバットメント６５０の楔留め機構を受け入れるサイズ及び形状にできる。この空洞は、空洞７０４の内面に沿って配置された環状凹部７０６も含むことができる。凹部７０６は、弾性ばね要素７０８を受け入れるサイズにすることができ、それによって、アバットメント６５０の環状スロット６５２に確実に嵌合するように設計された仮連結機構が形成される。弾性ばね要素７０８は、ばね要素７０８がスロット６５２に嵌合したときに、聴覚及び／または触覚フィードバックを医師に提供するように設計できる。別個の弾性ばね要素７０８を用いると、有益なことに、弾性が小さく、潜在的に耐久性に優れる物質であって、より変形しにくくできる物質から、コーピング７００を製造可能にできることが理解されるべきである。この耐久性の向上により、図４と関連させて説明したように、コーピング７００をアバットメント６５０から外す際に、コーピング７００が変形する可能性を低下させることができる。いくつかの実施形態では、ばね要素７０８は、アバットメント６５０の環状スロット６５２に確実に嵌合できるように、半径方向内側に、凹部７０６を越えて突出する環状のリングばね７３０（図７Ｂ）であることができる。いくつかの実施形態では、環状のリングばね７３０は、半径方向内側に、凹部７０６を越えて突出する弾性変形可能なフィンガー（図示なし）を含むことができる。いくつかの実施形態では、半径方向内側に、凹部７０６を越えて突出する部分を有するウェーブばね７３２（図７Ｃ）を用いることができる。ウェーブばね７３２は、所望に応じて、フラットワイヤーウェーブばね、１回巻きのウェーブばね、マルセルエキスパンダーまたは他のタイプのウェーブばねであることができる。ばね要素７０８は、扁平、または円形断面を含む非扁平断面を有することができる。皿ばね座金、湾曲した皿ばね、ウェーブワッシャー、割り座金、内歯及び／または外歯ロックワッシャー、内側及び／または内側が鋸歯状のワッシャーのような他のタイプの設計を用いることができる。上記の施術中、ばね要素７０８によって、アバットメント６５０とコーピング７００の位置と向きを保持できるうえに、大きな力を加えずに外せるように、ばね要素７０８の特徴を選択できる。図示されている実施形態では、ウェーブばね７３２は、半径方向内側の突起を４つ含む。修正実施形態では、ウェーブばねは、４つよりも多いかまたは少ない突起、例えば、１個、２個、３個、５個のまたは６個の突起を備えることができる。図示されているウェーブばねの配列の利点の１つは、半径方向内側の突起の一部が、環状スロット６５２の開口（例えば図１４とスロット９１０を参照のこと）と接触しても、その配列によって、内向きの力をもたらすことができる点である。
【０１２５】
いくつかの実施形態では、他の構造を用いて、仮連結機構を作製できる。例えば、コーピング７００は、環状スロット６５２と相互作用するように、環状のリブ、突起、ディンプルまたは類似の弾性機構を含むことができる。さらに、空洞７０４の内面に沿って、垂直に向いたスロットまたは突起も搭載できる。コーピング７００は、遠位部分７０２の外面沿いに、フランジ７１０を含むことができる。
【０１２６】
コーピング７００の近位部分７１２は、長手方向に延びる細長い部材７１４を備えることができる。細長い部材７１４は、細長い部材７１４から半径方向外側に突出する多数の環状の突起７１６またはリブを含むことができる。環状の突起７１６は、環状スロット７１８を形成するように、間隔をあけて配置することができる。下で更に詳細に説明するように、細長い部材７１４に沿って突起７１６とスロット７１８を設けることによって、有益なことに、接着剤及び／またはアクリルを用いるときに、コーピング７００と補綴物５１０との連結を高めることができる。いくつかの実施形態では、突起７１６は、細長い部材７１４の周囲において、部分的にのみ延びていることができるとともに、細長い部材７１６の長さ沿いにおいて、部分的にのみ延びていることができる。他の構造を用いて、同様の利点をもたらすこともできる。例えば、突起７１６及びスロット７１８とともに、または突起７１６及びスロット７１８なしで、ディンプルまたはボスを用いることもできる。さらに、コーピング７００の表面を粗面化することができる。いくつかの実施形態では、これらの突起７１６、スロット７１８、ディンプル及び／またはボスは、細長い部材７１４の内面に含めることもでき、すなわち、穴７２０の中に配置することができる。コーピングのフランジ７１０の外面に、同様の構造、例えば溝を用いることもできる。
【０１２７】
図示されている実施形態に示されているように、細長い部材７１４は、細長い部材７１４の少なくとも一部を通る長手穴７２０を含むことができる。下で更に詳細に説明するように、この穴７２０は、固定具が通るサイズ及び形状にすることができる。穴７２０の近位端には、異物が穴７２０に入る可能性を低下させることができるプラグ７２２を設けることができる。プラグ７２２は、コーピング７００と同じ物質から製造することも、別の物質から製造することもできる。いくつかの実施形態では、プラグ７２２の切削または穿孔を容易にするために、プラグ７２２を柔らかめの物質から製造するのが好ましいことがある。コーピング７００は、穴７２０の反対側の端部に、開口７２４と縁７２６を含むことができる。
【０１２８】
次に、図８を参照すると、コーピング７００の空洞７０４に挿入されたアバットメント６５０が示されているとともに、補綴物５１０の穴５１６に挿入されたコーピング７００の細長い部材７１４が示されており、補綴物５１０は、細長い部材７１４上に設置されている。図示されている実施形態に示されているように、コーピング７００を部分的に修正して、細長い部材７１４の全体的な高さを低くしてある。図３及び４との関連で上で説明したように、この修正は、補綴物５１０とコーピング７００とが更に十分に嵌合するように、医師が行うことができる。さらに、図示されている実施形態に示されているように、アバットメント６５０とコーピング７００は、保持ばね７０８によって取り付けることができる。いくつかの実施形態では、開口７２４は、アバットメント６５０の近位端の少なくとも一部と隣接するとともに、接する縁７２６によって、アバットメント６５０の穴６５４と位置合わせすることができる。図示されている実施形態に示されているように、穴６５４は、部分的または全体的に雌ねじを有することも、連結機構を含むこともできる。さらに、アバットメントをインプラント６００に連結するために、連結ねじ６５６が穴６５４に通っていることができる。
【０１２９】
次に、図９を参照すると、自然硬化性物質もしくは光硬化性ポリマー物質のような接着剤５１８及び／またはアクリルを補綴物５１０の穴５１６に投入できる。接着剤５１８及び／またはアクリルを硬化させると、補綴物５１０とコーピング７００をしっかり固着することができる。この固着性は、突起７１６及びスロット７１８のような表面機構を用いることによって高めることができる。さらに、この固着性は、穴５１６の内面の表面粗さを向上させることによって更に高めることができる。プラグ７２２の存在により、接着剤５１８及び／またはアクリルは、穴７２０に入り込まないことが理解されるべきである。これにより、有益なことに、切削または穿孔作業中に、硬化した接着剤５１８及び／またはアクリル（切削治具の切削面を潜在的にべとつかせて動きを悪くさせることがある）により、切削または穿孔に伴う困難が生じる可能性が低下する。いくつかの実施形態では、接着剤５１８及び／またはアクリルが穴７２０の中に入るように、プラグを外すことができる。そのような実施形態は、補綴物５１０とコーピング７００を更にしっかり接合するのが望ましいときに有益であり得る。
【０１３０】
接合を更に高めるために、コンポーネントの金属面を表面処理することができる。いくつかの実施形態では、コーピング７００などの、歯科用仮補綴物システムのコンポーネントの表面に、プライマーを塗布することができる。例えば、コンポーネントの金属面と接着剤５１８及び／またはアクリルとの接合を高めるために、コンポーネントの金属面に、金属プライマーを塗布することができる。いくつかの実施形態では、プライマーは、有益なことに、そのコンポーネントの金属面と接着剤５１８及び／またはアクリルとの接合を高めることができる。医師が施術中にプライマーを塗布する必要がないように、プライマーは、そのような表面に事前に塗布することができる。いくつかの実施形態では、コンポーネントの表面と接着剤５１８及び／またはアクリルとの接合を更に高めるために、コンポーネントの表面に、他の表面処理を施すことができる。例えば、金属コンポーネントのようなコンポーネントの表面を粗面化して、そのコンポーネントと接着剤５１８及び／またはアクリルとの接合を更に高めることができる。この粗面化は、サンドブラストまたは表面を粗面化する他の手段によって行うことができる。
【０１３１】
次に、図１０及び１１を参照すると、コーピング７００の空洞７０４に挿入された位置合わせ治具８００が示されているとともに、補綴物５１０の穴５１６に挿入されたコーピング７００の細長い部材７１４が示されており、補綴物５１０は、細長い部材７１４上に設置されている。さらに、位置合わせ治具８００と、コーピング７００の穴７２０とに挿入されたドリルビット８５０が示されている。図示されている実施形態に示されているように、位置合わせ治具８００は、アバットメント６５０の形状と同様の形状を有することができ、保持ばね７０８を受け入れるために、環状スロット８０２の形状の同様の連結機構を備えることができる。位置合わせ治具８００とコーピング７００との間の他の連結機構も企図される。例えば、位置合わせ治具８００は、本明細書に記載されているような他の「スナップフィット」連結部、摩擦嵌めによる連結、クランプ、固定具などを用いて、コーピング７００に取り付けることができる。例えば、位置合わせ治具８００をコーピング７００の空洞に、摩擦嵌めによる連結部で挿入でき、または、コーピング７００の遠位部分を位置合わせ治具８００の空洞（例えばドリルガイド）に、摩擦嵌めによる連結部で挿入できる。ドリルビット８５０が位置合わせ治具８００を貫通する際に、ドリルビット８５０を受け入れて位置合わせするための位置合わせ穴８０４を位置合わせ治具８００は含むことができる。図示されている実施形態に示されているように、ドリルビット８５０が開口７２４を通るように、位置合わせ穴８０４は、コーピング７００の開口７２４と位置合わせすることができる。続いて、ドリルビット８５０を用いて、図９に示されているようなプラグ７２２、接着剤５１８及び／またはアクリルの一部、ならびに補綴物５１０に穴５１９を作ることができる。本明細書に記載されているように、いくつかの実施形態では、位置合わせ治具８００を用いなくてもよい。また、本明細書に記載されているように、いくつかの実施形態では、コーピング７００または仮クラウンの側から補綴物５１０に穴を作った後、ドリルビット８５０または別のドリルビットは、補綴物５１０側から入ることによって、その穴を拡充及び／または拡大できる。
【０１３２】
次に、図１２を参照すると、コーピング７００の空洞７０４に挿入されたアバットメント６５０が示されているとともに、補綴物５１０の穴５１６に挿入されたコーピング７００の細長い部材７１４が示されており、補綴物５１０は、細長い部材７１４上に設置されている。さらに、固定具７５０が穴５１９と穴７２０に挿入されていて、固定具７５０のヘッド７５２が、縁７２６に隣接するとともに、縁７２６の上に乗るようになっているとともに、シャフト７５４が、開口７２４と、アバットメント６５０の穴６５４に挿入されている。いくつかの実施形態では、シャフト７５４には、外面に沿ってねじ山を設けて、穴６５４の中の対応するねじ山と嵌合するようにできる。したがって、このねじを用いて、コーピング７００と補綴物５１０をアバットメント６５０にしっかり取り付けることができる。異物が穴５１９に入る可能性を低下させるために、シール５２０を穴５１９に投入することができる。
【０１３３】
次に、図１３を参照すると、別の実施形態のアバットメント８００（例えばマルチユニットアバットメント）の上部とコーピング８５０が示されている。アバットメント８００は、インプラントに取り付ける遠位部分８０２と、コーピング８５０のようなコーピング、及び／または例えば、歯科用修復物もしくは歯科用修復物コンポーネント（例えばマルチユニットブリッジ及び／もしくは修復物など）のような歯科用コンポーネントに取り付ける近位部分８０４とを有することができる。図示されている実施形態に示されているように、アバットメント８００は、アバットメント８００の近位部分８０４の周囲に、環状スロットのような凹部スロット８０６を備えることができる。環状スロット６５２と同様に、スロット８０６は、アバットメント８００とコーピング８５０及び／または上記のコーピング構成物との仮連結機構として機能できる。他の形状及び設計を用いることもできる。例えば、いくつかの実施形態では、スロット８０６は、アバットメント８００の一部のみを取り囲むことができる。さらに、アバットメント８００は、アバットメント８００を取り囲む環状の突起もしくはリブ、ディンプル、または上記のいずれかを組み合わせたものを含むことができる。いくつかの実施形態では、アバットメント８００は、アバットメント８００と、コーピング８５０のような別のコンポーネントとの位置合わせをいずれも容易にできる垂直に向いたスロットまたは突起を含むことができる。アバットメント８００は、ピンもしくはダウエルピン、または取り付けられるコンポーネントのピンもしくはダウエルピン受け入れるように構成された穴を連結機構として含むことができる。いくつかの実施形態では、アバットメント８００では、スロット８０６を省くことができる。
【０１３４】
近位部分８０４は、近位端に向かって細くなる円すい台形状を有することができる。テイパー部分８０７は、アバットメント８００のスロット８０６に確実に嵌合するように設計された、コーピング８５０の仮連結機構（ばね要素７０８など）に対する誘導用の傾斜をもたらすことによって、コーピングをアバットメント８００の上に留置しやすくするように設計できる。もちろん、アバットメント８００の近位部分は、所望に応じて、いずれの他のタイプの形状をも有することができることが理解されるべきである。さらに、図示されている実施形態に示されているように、アバットメント８００に取り付けられるコンポーネント（コーピング８５０など）が、アバットメント８００と連結前に、適切に位置合わせされるように、アバットメント８００は、楔留め機構８０８を含むことができる。この楔留め機構８０８は、例えば、コーピング内の対応する六角形凹部に嵌合するように設計された六角形断面を有することができる。楔留め機構８０８には、所望に応じて、他のタイプの多角形、小葉形状（三葉形状及び六葉形状など）、楕円形状、ならびに他のいずれかの形状のように、他の形状を用いることができる。
【０１３５】
いくつかの実施形態では、近位部分８０４は、シート８１０を形成するフランジを備えることができる。シート８１０は、コーピング８５０を仮連結機構、補綴ねじまたは両方によって連結したときに、コーピング８５０の一部（遠位端面８５６など）と接するように設計できる。シート８１０は、有益なことに、医師がコーピングをアバットメント８００の上に挿入しすぎるのを防ぐか、またはその可能性を低下させることができるコーピング制止要素として機能できる。シート８１０を用いて、最終的または一時的な修復物（例えば、マルチユニットアバットメント、ブリッジ及び／または修復物など）を支えることもできる。
【０１３６】
引き続き、図１３を参照すると、コーピング８５０は、コーピング７００の設計と同様の設計を有することができる。簡略化のために、コーピング８５０の内部構造に関する詳細については、コーピング７００に関する考察を参照されたい。図１３に示されているように、コーピング８５０は、より少ない突起８５２及びスロット８５４を含むことができる。上記のように、接合を更に高めるために、コンポーネントの表面を表面処理することができる。いくつかの実施形態では、コーピング８５０などの、歯科用仮補綴物システムのコンポーネントの表面に、プライマーを塗布することができる。例えば、コンポーネントの金属面と接着剤５１８及び／またはアクリルとの接合を高めるために、コンポーネントの金属面に、金属プライマーを塗布することができる。いくつかの実施形態では、プライマーは、有益なことに、コンポーネントの金属面とアクリル接着剤５１８及び／またはアクリルとの接合を高めることができる。医師が施術中にプライマーを塗布する必要がないように、プライマーは、そのような表面に事前に塗布することができる。いくつかの実施形態では、コンポーネントの表面と接着剤５１８及び／またはアクリルとの接合を更に高めるために、コンポーネントの表面に、他の表面処理を施すことができる。例えば、金属コンポーネントのようなコンポーネントの表面を粗面化して、そのコンポーネントと接着剤５１８及び／またはアクリルとの接合を更に高めることができる。この粗面化は、サンドブラストまたは表面を粗面化する他の手段によって行うことができる。
【０１３７】
次に、図１４及び１５を参照すると、別の実施形態のアバットメント９００の上部が示されている。アバットメント９００は、インプラントに取り付ける遠位部分９０２と、コーピング８５０のようなコーピング、及び／または例えば、歯科用修復物もしくは歯科用修復物コンポーネント（例えば、マルチユニットブリッジ及び／もしくは修復物など）のような歯科用コンポーネントに取り付ける近位部分９０４とを備えることができる。図示されている実施形態に示されているように、遠位部分９０２の長手軸９０６が、近位部分９０４の長手軸９０８と角度をなすように、アバットメント９００は傾斜されている。したがって、アバットメント９００をインプラントとコーピングに取り付けると、コーピングは、インプラントと角度をなすことになる。例えば、インプラントが、咬合面に概ね直交することがないように、インプラントを顎に取り付ける場合、そのような角度が望ましいことがある。いくつかの実施形態では、連結ねじ１６と同様の第１のねじを用いて、アバットメント９００をインプラントに連結できる。いくつかの実施形態では、この第１のねじは、軸９０６に対して平行に配向させることができる。もちろん、第１のねじは、別の軸沿いに配向させることができる。補綴ねじ１３８と同様の第２のねじを用いて、コーピング８５０のようなコーピングをアバットメント９００に連結することができる。いくつかの実施形態では、第２のねじは、軸９０８に対して平行に配向させることができる。第１のねじのように、第２のねじは、別の軸沿いに配向させることができる。いくつかの実施形態では、第１のねじと第２のねじは、異なる軸に対して平行に配向させることができる。したがって、アバットメント９００は、これらのねじを受け入れる１つ以上の穴を含むことができることが理解されるべきである。
【０１３８】
図示されている実施形態に示されているように、アバットメント９００は、アバットメント９００の近位部分９０４の周囲に、環状スロットのようなスロット９１０を含むことができる。環状スロット６５２と同様に、スロット９１０は、アバットメント９００とコーピング８５０との間の仮連結機構として機能できる。アバットメント８００との関連で説明した他の形状、設計及び機構をアバットメント９００とともに用いることもできる。簡略化のために、そのような機構に関する詳細については、アバットメント８００に関する考察を参照されたい。いくつかの実施形態では、アバットメント９００では、スロット９１０を省くことができる。
【０１３９】
図示されている実施形態に示されているように、アバットメント９００の近位部分は、近位端に向かって細くなる円すい台形状を有することができる。しかしながら、アバットメント９００の近位部分は、いずれの他のタイプの形状をも有することができ、回転対称性を示す必要はないことが理解されるべきである。さらに、アバットメント９００に取り付けられるコンポーネント（コーピング８５０など）が、アバットメント９００と連結前に、適切に位置合わせされるように、アバットメント９００は、楔留め機構（図示なし）を含むことができる。
【０１４０】
次に、図１６及び１７を参照すると、アバットメント１０００の実施形態が示されている。アバットメント１０００は、アバットメント６５０、８００、９００の機構と同様の機構を有することができる。図示されている実施形態に示されているように、アバットメント１０００は、インプラントに取り付ける遠位部分１００２と、本明細書に記載されているようなコーピングに取り付ける近位部分１００４を含むことができる。アバットメント１０００は、遠位部分１００２に沿って、ねじ山部分１００６を含むことができ、このねじ山部分は、その長さ沿いに少なくとも部分的に（全体的でない場合があるが）雄ねじを備えるシャフト１００８を有する。ねじ山部分１００６のねじ山は、インプラントの対応する雌ねじ部分と連結するように設計できる。図示されている実施形態に示されているように、ねじ山部分１００６は、アバットメント１０００と一体形成することができる。したがって、医師は、アバットメント１０００の全体を回転させることによって、アバットメント１０００をインプラントに取り付けることができる。このモノリシック構造によって、２ピース構造よりも、構造的一体性を高めることができる。いくつかの実施形態では、アバットメント１０００では、代わりに、内側の穴１２５と同様の、アバットメント１０００の内側の穴（図示なし）を通る、連結ねじ１６と同様の連結ねじを用いることができる。そして、医師は、アバットメント１０００の全体を回転させなくても、アバットメント１０００をインプラントに取り付けることができる。アバットメント１０００を回転させるのが困難である場合に、これは特に有益であり得る。
【０１４１】
図示されている実施形態に示されているように、アバットメント１０００は、アバットメント１０００の近位部分１００４の周囲に、凹部またはスロット１０１０（環状スロットなど）を含むことができる。環状スロット６５２と同様に、スロット１０１０は、アバットメント１０００とコーピング（図１８及び１９との関連で説明されているコーピング１０５０など）との間の仮連結機構として機能できる。アバットメント８００との関連で説明した他の形状、設計及び機構をアバットメント１０００とともに用いることもできる。簡略化のために、そのような構造に関する詳細については、アバットメント８００に関する考察を参照されたい。いくつかの実施形態では、アバットメント１０００では、スロット１０１０を省くことができる。
【０１４２】
近位部分１００４は、近位端に向かって細くなる円すい台形状を有することができる。テイパー部分１０１２は、アバットメント１０００のスロット１０１０に確実に嵌合するように設計された、コーピングの仮連結機構（ばね要素７０８または他の弾性要素など）に対する誘導用の傾斜をもたらすことによって、コーピングをアバットメント１０００の上に留置しやすくするように設計できる。もちろん、アバットメント１０００の近位部分は、所望に応じて、いずれの他のタイプの形状をも有することができることが理解されるべきである。さらに、図示されている実施形態に示されているように、アバットメント１０００は、楔留め機構１０１４を含むことができる。楔留め機構１０１４に取り付けられるコンポーネント（コーピングなど）が、アバットメント１０００と連結前に、適切に位置合わせされるように、楔留め機構１０１４は、設計できる。この楔留め機構１０１４は、例えば、コーピング内の対応する六角形凹部に嵌合するように設計された六角形断面を有することができる。楔留め機構１０１４には、所望に応じて、他のタイプの多角形、小葉形状（三葉形状及び六葉形状など）、楕円形状、ならびに他のいずれかの形状のように、他の形状を用いることができる。楔留め機構１０１４を用いて、アバットメント１０００をインプラントに連結するためにアバットメント１０００を回転させるドライバーツールを嵌合することもできる。いくつかの実施形態では、楔留め機構１０１４は、面取りしたかまたは傾斜させた近位縁を備えることができ、この近位縁により、コンポーネントを楔留め機構１０１４に留置しやすくできる。
【０１４３】
いくつかの実施形態では、近位部分１００４は、シート１０１６を形成するフランジを含むことができる。シート１０１６は、コーピングを仮連結機構、補綴ねじまたは両方によって連結したときに、コーピングの一部と接するように設計できる。シート１０１６は、有益なことに、医師がコーピングをアバットメント１０００の上に挿入しすぎるのを防ぐか、またはその可能性を低下させることができるコーピング制止要素（またはその他の嵌合コンポーネント制止要素）として機能できる。
【０１４４】
次に、図１８及び１９を参照すると、コーピング１３０、７００、８５０に関して説明した機構と同様の機構を有し、本明細書に記載されている様々なアバットメントとともに用いることができるコーピング１１００の実施形態が示されている。図示されている実施形態に示されているように、コーピング１１００は、アバットメント１０００のようなアバットメントの近位部分の少なくともある部分を受け入れるサイズ及び形状の空洞１１０４を有する遠位部分１１０２を含むことができる。空洞１１０４は、所望に応じて、円柱形状または他のいずれの形状をも有することができる。いくつかの実施形態では、取り付け前に、アバットメント１０００とコーピング１１００が適切に位置合わせ及び配向されるように更にするために、空洞１１０４は、アバットメント１０００の楔留め機構（楔留め機構１０１４など）を受け入れるサイズ及び形状にできる。
【０１４５】
図示されている実施形態に示されているように、コーピング１１００は、コーピング１１００に一体形成された仮連結機構１１０６を備えることができる。図示されている実施形態に示されているように、仮連結機構１１０６は、１つ以上の細長い弾性フィンガー１１０８の形態であることができる。フィンガー１１０８は、半径方向外側の力が加わると、半径方向外側に弾性変形するように設計できる。フィンガー１１０８は、アバットメント１０００の凹部またはスロット（スロット１０１０など）に入るサイズ及び形状の嵌合突起１１１０を含むことができる。フィンガー１１０８は、テイパー部分１１１２を有することもできる。このテイパー部分１１１２は、アバットメント１０００のテイパー部分１０１２と接するように設計でき、それによって、アバットメント１０００に対するコーピング１１００の安定性が高まる。もちろん、フィンガー１１０８には、他の形状及びサイズを用いることができる。例えば、コーピング１１００は、スロット１０１０と相互作用する環状のリブ、突起、ディンプルまたは類似の弾性機構を備えることができる。さらに、空洞１１０４の内面に沿って、垂直に向いたスロットまたは突起も搭載できる。いくつかの実施形態では、仮連結機構１１０６は、図２１〜２６の実施形態に示されているように、コーピング１１００の残部とは別であることができる。仮連結機構１１０６は、コーピング１１００とは別に、コーピング１１００の残部に後で取り付けられる１つ以上の部品として製造できる。いくつかの実施形態では、仮連結機構１１０６は、取り外し可能な状態で取り付けることができる。別の実施形態では、仮連結機構１１０６は、恒久的に取り付けることができる。
【０１４６】
コーピング１１００の遠位部分１１０２は、遠位面１１１４を含むことができる。例えば、図示されている実施形態に示されているように、遠位面１１１４は、環状の縁を形成することができる。コーピング１１００がアバットメント１０００に嵌合されているときに、遠位面１１１４は、アバットメント１０００のシート１０１６と接することができる。いくつかの実施形態では、シート１０１６と表面１１１４とが接すると、異物が空洞１１０４に入るのを防ぐか、その可能性を低下させるシールを形成させることができる。
【０１４７】
コーピング１１００の近位部分１１１６は、コーピング１３０、７００及び８５０と同様の設計を有することができる。いくつかの実施形態では、コーピング１１００は、長手方向に延びている細長い部材１１１８を含むことができる。細長い部材１１１８は、細長い部材１１１８から半径方向外側に突出する多数の突起１１２０またはリブを含むことができる。突起１１２０は、環状スロット１１２２を形成するように、間隔をあけて配置することができる。図示されている実施形態に示されているように、突起１１２０は、細長い部材１１１８の周囲において、部分的にのみ延びていることができるとともに、細長い部材１１１８の長さ沿いにおいて、部分的にのみ延びていることができる。本明細書に記載されているような他の構造を用いて、同様の利点をもたらすこともできる。例えば、突起１１２０及びスロット１１２２とともに、または突起１１２０及びスロット１１２２なしで、ディンプルまたはボスを用いることもできる。さらに、コーピング１１００の表面を粗面化することができる。いくつかの実施形態では、これらの突起１１２０、スロット１１２２、ディンプル及び／またはボスは、細長い部材１１１８の内面に設けることもでき、すなわち、穴１１２４の中に配置することができる。
【０１４８】
図示されている実施形態に示されているように、細長い部材１１１８は、細長い部材１１１８の少なくとも一部を通る長手穴１１２４を含むことができる。下で更に詳細に説明するように、この穴１１２４は、穴１３９、７２０と同様に、固定具が通るサイズ及び形状にすることができる。穴１１２４は、細長い部材１１１８の近位端に、開口１１２６を形成することができる。もちろん、本明細書に記載されている別の実施形態と同様に、開口１１２６を初期に覆うプラグ７２２のようなプラグ。コーピング１１００は、穴１１２４の反対側の端部に、開口７２４と縁７２６と同様に、図２０に示されているように、固定具１１３２を通すとともに、コーピング１１００をアバットメント（アバットメント１０００など）に連結するように設計された開口１１２８と縁１１３０を含むことができる。
【０１４９】
次に、図２１〜２３を参照すると、コーピング１３０、７００、８５０、１１００に関して説明した機構と同様の機構を有し、本明細書に記載されている様々なアバットメントとともに用いることができるコーピング１２００の実施形態が示されている。図示されている実施形態に示されているように、コーピング１２００は、本体コンポーネント１２０２とコネクターコンポーネント１２０４を含むことができる。図示されている実施形態に示されているように、本体コンポーネント１２０２とコネクターコンポーネント１２０４は、２つの別個の部品であることができ、これにより、有益なことに、コーピング１２００を製造しやすくできる。コネクター部分１２０４は、本体コンポーネント１２０２に取り外し可能な状態で取り付けられるように設計でき、または、取り付けたら、コネクター部分１２０４を外しにくくできるように設計できる。
【０１５０】
引き続き、図２１〜２３を参照すると、コネクターコンポーネント１２０４は、ヘッド部分１２０６と足部分１２０８を含むことができる。足部分１２０８は、コーピング１１００と同様の仮連結機構（弾性フィンガー１２０９など）を含むことができる。いくつかの実施形態では、足部分１２０８は、ばね要素（環状のリングばね７３０、ウェーブばね７３２など）及び他のいずれの仮連結機構をも含むいずれか他の仮連結機構をも含むことができる。弾性フィンガー１２０９を用いて、コーピング１２００をアバットメント１２５０または他のいずれかのアバットメント（アバットメント１２０、６５０、８００、９００など）のようなアバットメントに連結できる。連結ねじ１２６０を用いて、コーピング１２００をアバットメント１２５０に連結できる。
【０１５１】
ヘッド部分１２０６は、本体コンポーネント１２０２の空洞１２１０の中に入るサイズにすることができる。いくつかの実施形態では、ヘッド部分１２０６は、空洞１２１０の１つ以上の断面寸法と同じであるか、またはそれよりも大きい１つ以上の断面寸法を有することができる。例えば、いくつかの実施形態では、ヘッド部分１２０６及び／または空洞１２１０の断面は円形であり、ヘッド部分１２０６の直径は、空洞１２１０の直径と同じであるか、またはそれよりも大きいことができる。このようにして、ヘッド部分１２０６と空洞１２１０は、摩擦嵌めまたは締まり嵌めによって連結できる。この摩擦嵌めを促すために、ヘッド部分１２０６の上端縁を傾斜させるか、またはテイパー状にすることができる。いくつかの実施形態では、ヘッド部分１２０６は、空洞１２１０よりも小さい断面を有することができる。そのような実施形態、及び本明細書に記載されているいずれかの別の実施形態では、接着剤または固定具のような別の固定機構を用いて、本体コンポーネント１２０２とコネクターコンポーネント１２０４を併せて連結できる。ヘッド部分１２０６は、空洞１２１０の楔留め機構に対応する楔留め機構を含むことができ、それにより、本体コンポーネント１２０２とコネクターコンポーネント１２０４との適切な向きが１つ以上存在する実施形態において、本体コンポーネント１２０２とコネクターコンポーネント１２０４との適切な配向を促すことができる。２つのコンポーネント１２０２、１２０４を分離するのに必要な力が、コーピング１２００を、コーピング１２００に取り付けられたアバットメント（アバットメント１２５０など）から分離する力を上回るように、本体コンポーネント１２０２とコネクターコンポーネント１２０４との嵌合を選択できる。
【０１５２】
次に、図２４〜２６を参照すると、コーピング１３０、７００、８５０、１１００、１２００に関して説明した機構と同様の機構を有し、本明細書に記載されている様々なアバットメントとともに用いることができるコーピング１３００の実施形態が示されている。コーピング１２００と同様に、コーピング１３００は、本体コンポーネント１３０２とコネクターコンポーネント１３０４を含むことができる。コネクターコンポーネント１３０４は、ヘッド部分１３０６と足部分１３０８を含むことができる。足部分１３０８は、コーピング１１００、１２００と同様の仮連結機構（弾性フィンガー１３０９など）を含むことができる。いくつかの実施形態では、足部分１３０８は、ばね要素（環状のリングばね７３０、ウェーブばね７３２など）及び他のいずれかの仮連結機構を含むいずれの他の仮連結機構をも含むことができる。弾性フィンガー１３０９を用いて、コーピング１３００をアバットメント１２５０または他のいずれかのアバットメント（アバットメント１２０、６５０、８００、９００など）のようなアバットメントに連結できる。連結ねじ１２６０を用いて、コーピング１３００をアバットメント１２５０に連結できる。図示されている実施形態に示されているように、ヘッド部分１３０６は、本体コンポーネント１３０２の対応する雌ねじ山１３１２に嵌合できる雄ねじ山１３１０を含むことができる。いくつかの実施形態では、ヘッド部分１３０６は、雌ねじ山を含むことができ、本体コンポーネント１３０２は、雌ねじ山を含むことができる。
【０１５３】
次に、図２７Ａ及び２７Ｂを参照すると、他の実施形態に関して本明細書に記載されている機構のいずれかの１つ以上を有することができるアバットメント１４００（例えば、アバットメントとコーピングを組み合わせたもの）の実施形態が示されている。図示されている実施形態に示されているように、アバットメント１４００は、インプラントの近位部分の凹部、穴または空洞に挿入されるサイズ及び形状の遠位部分１４０２を含むことができる。遠位部分１４０２は、環状面１４１４を備えることができ、所望に応じて、円柱形状、テイパー形状またはいずれの他の形状をも有することができる。
【０１５４】
図示されている実施形態に示されているように、アバットメント１４００は、仮連結機構１４０６を含むことができる。仮連結機構１４０６は、１つ以上の細長いフィンガー１４０８の形態であることができる。フィンガー１４０８は、本明細書に記載されている他のフィンガーと同様であることができる。例えば、フィンガー１４０８は、弾性フィンガーであることができる。図示されている実施形態に示されているように、フィンガー１４０８は、直線部分１４０９と嵌合突起１４１０を含むことができる。もちろん、仮連結機構１４０６には、他の形状、サイズ及び要素を用いることができる。
【０１５５】
様々な実施形態において、アバットメント１４００の遠位部分１４０２を用いて、インプラントの近位部分と嵌合できる。いくつかのそのような実施形態では、アバットメント１４００は、仮連結機構１４０６によって、インプラントとスナップフィット連結を形成できる。例えば、１つ以上のフィンガー１４０８は、弾性であることができる。１つ以上のフィンガー１４０８の１つ以上の嵌合突起１４１０は、インプラントの溝または類似の機構にスナップフィットできる。いくつかの別の実施形態では、アバットメント１４００は、仮連結機構１４０６によって、インプラントと摩擦嵌めによる連結を形成できる。例えば、１つ以上のフィンガー１４０８の１つ以上の嵌合突起１４１０をインプラントの内面（例えば、凹部、穴または空洞の内面）に押しつけることができる。
【０１５６】
様々な実施形態において、アバットメント１４００の近位部分１４１６は、他の実施形態に関して本明細書に記載されているような、長手方向に延びている細長い部材１４１８を含むことができる。例えば、細長い部材１４１８は、環状スロット１４２２を形成するように間隔をあけて配置された多数の突起１４２０を含むことができる。近位部分１４１６と遠位部分１４０２は、一体形成することも、別々に製造することもできる。いくつかの実施形態では、近位部分１４１６と遠位部分１４０２は、同じ物質（単一または複数）で作られているが、別の実施形態では、異なる物質で作られている。一例では、フィンガー１４０８を含む遠位部分１４０２は、金属（例えばチタン）で作られており、細長い部材１４１８を含む近位部分１４１６は、ポリマー（例えばＰＥＥＫ材）で作られている。別の例では、遠位１４０２及び近位１４１６の部分はいずれも、金属（例えば同じ金属）で作られている。別の例では、遠位１４０２及び近位１４１６の部分はいずれも、ポリマー（例えば同じポリマー）で作られている。いくつかの実施形態では、遠位部分１４０２の一部は、遠位部分１４０２の別の部分とは異なる物質で作ることができる。いくつかの実施形態では、近位部分１４１６の一部は、近位部分１４０２の別の部分とは異なる物質で作ることができる。
【０１５７】
本明細書に記載されているように、機構は、サイズ、形状及び要素が様々であることができる。例えば、図２７Ｃ〜２７Ｅには、様々な遠位部分を有するアバットメント（例えば、アバットメントとコーピングを組み合わせたもの）の別の実施形態が示されている。具体的には、図２７Ａ及び２７Ｂに示されている実施形態と比べると、アバットメント１４６０のフィンガー１４６８、アバットメント１４７０のフィンガー１４７８、アバットメント１４８０のフィンガー１４８８は、それぞれサイズ、形状及び位置が異なる。他の例も可能である。図２８Ａ及び２８Ｂには、様々な近位部分を有するアバットメント（例えばアバットメントとコーピングを組み合わせたもの）の別の実施形態が示されている。例えば、細長い部材は、個々の患者に応じて、高さ、材料及び色が様々であることができる。一例として、図２８Ａ及び２８Ｂに示されているアバットメントの例１５００の細長い部材１５１８は、図２７Ａ及び２７Ｂに示されているアバットメントの例１４００の細長い部材１４１８よりも短い。いくつかの実施形態では、細長い部材は、約３０〜５０％短いことができる。様々な実施形態において、細長い部材は、個々の患者に適合するように、細長い部材から材料を取り除くことによって調節可能であることができる。事前に短くした細長い部材を有することによって、口内での調節時間を短縮できる。
【０１５８】
次に、図２９Ａ及び２９Ｂを参照すると、別の実施形態のアバットメント１６００（例えばアバットメントとコーピングを組み合わせたもの）が示されている。本明細書に記載されているように、アバットメント１６００は、サイズ、形状及び要素が様々であることができる。図示されている実施形態に示されているように、アバットメント１６００は、間隔をあけて配置された複数の細長い要素１６０８であって、円周縁１６１４によって連結されている細長い要素１６０８を備える仮連結機構１６０６を含むことができる。いくつかの実施形態では、細長い要素１６０８及び／または円周縁１６１４は、弾性物質で作ることができる。別の例として、円周縁１６１４は、他の実施形態に関して本明細書に記載されているようなばね要素（図示なし）を備えることができる。様々な実施形態において、アバットメント１６００は、仮連結機構１６０６によって、インプラントと摩擦嵌めによる連結を形成できる。例えば、アバットメント１６００の仮連結機構１６０６の細長い要素１６０８及び／または円周縁１６１４は、インプラントの内面（例えば、凹部、穴または空洞の内面）に押しつけることができる。
【０１５９】
次に、図３０Ａ及び３０Ｂを参照すると、コーピングの例１７００が示されている。コーピング１７００は、他の実施形態に関して本明細書に記載されているいずれかの１つ以上の機構を備えることができる。一例として、コーピング１７００は、図１８及び１９に示されているコーピングの例１１００と類似の機構を備えることができる。図３０Ａ及び３０Ｂに示されているように、コーピング１７００は、フランジまたはカラーのような遠位面１７１０を有することができる。しかしながら、図１８及び１９に示されているコーピング１１００と比べて、コーピング１７００の遠位面１７１０は、溝１７１５（または突起及び／もしくはスロット）のような機構を含むことができる。いくつかの実施形態では、そのような機構は、（口腔内または口腔外で）クラウンまたは他の修復物をコーピング１７００に取り付けるときに用いる接着剤またはセメントを保持しやすくできる。さらに、コーピング１７００は、他の実施形態（例えば図１８及び１９）に関して本明細書で記載されているようなフィンガー１７０８を含むことができる。フィンガー１７０８は、アバットメントの凹部またはスロットの中に入るサイズ及び形状の嵌合突起１７０９を含むことができる。例えば、図３１には、図３０Ａ及び３０Ｂに示されているコーピング１７００の嵌合突起１７０９を受け入れるように構成されたスロット１８０９を含むアバットメントの例１８００が示されている。上記の実施形態（例えば図７Ａ及び１８）と組み合わせて、または別個の独立した機構として、溝１７１５を用いることができる。
【０１６０】
次に、図３２Ａ〜３２Ｃを参照すると、歯科用補綴物２５１０を歯科用インプラント２１１０に連結する方法２０００の実施形態が示されている。方法２０００は、図３を参照しながら説明した方法３００の例である。例えば、歯科用インプラント２１１０は、患者の骨（図示なし）に連結でき、または、場合によっては、患者の骨に連結しなくてもよい（例えば、製造所で調製する）。もちろん、図３２Ａに示されている歯科用インプラント２１１０は、例示するためのものであり、他のタイプの歯科用インプラントを使用できることが理解される。例えば、インプラントの例２１１０は、近位端に凹部２１２０を有するものとして示されているが、外側のボスを備えるインプラントも企図することができる。
【０１６１】
図３２Ａに示されているように、方法２０００は、歯科用コンポーネント２７００をインプラント２１１０に連結することを含むことができる。例示目的で、図３２Ａには、図２７Ａ〜２７Ｂに示されているアバットメントの例１４００として、歯科用コンポーネント２７００が示されている。しかしながら、歯科用コンポーネント２７００は、他の実施形態に関して本明細書に記載されている様々な機構（例えば仮連結機構）のいずれかを有するいずれの歯科用コンポーネントをも含むことができる。例えば、歯科用コンポーネント２７００は、いずれかの１つ以上のコーピング、アバットメント、コーピング／アバットメントを組み合わせたもの、またはこれらを組み合わせたものを含むことができる。多数の歯科用コンポーネントを用いる場合（例えば、マルチユニットアバットメント、またはアバットメントとともに用いるコーピング）では、それらの歯科用コンポーネントの少なくとも１つは、他の実施形態に関して本明細書で記載されているような仮連結機構を含むことができる。
【０１６２】
歯科用コンポーネント２７００の遠位部分は、インプラント２１１０の近位部分に連結できる。図３２Ａでは、歯科用コンポーネント２７００は、インプラント２１１０の凹部２１２０に挿入でき、歯科用コンポーネント２７００の仮連結機構２７０６によって、併せて連結できる。例えば、仮連結機構２７０６は、本明細書に記載されているようなスナップフィット、摩擦嵌めまたは他の仮連結機構を含むことができる。
【０１６３】
方法２０００は、補綴物２５１０を歯科用コンポーネント２７００に接合することを含むことができる。補綴物２５１０は、１つの歯冠として示されている。別の実施形態では、補綴物２５１０は、部分ブリッジまたはフルブリッジのような複数歯の修復物であることができる。本明細書に記載されているように、接着剤を歯科用コンポーネント２７００及び補綴物２５１０に塗布することができ、ならびに／または、補綴物２５１０に形成した穴を、アクリル（自然硬化性アクリルなど）または光硬化性複合材で埋め戻すことができる。
【０１６４】
図３２Ｂに示されているように、接合した補綴物２５１０と歯科用コンポーネント２７００は、仮連結機構２７０６によって、インプラント２１１０から外すことができる。複数の歯科用コンポーネント（例えば、マルチユニットアバットメント、またはコーピング及びアバットメント）を用いる場合では、それらの歯科用コンポーネントの少なくとも１つをインプラント２１１０から外すことができる。例えば、図８〜１２に示されているように、コーピング７００は、仮連結機構（例えば保持ばね７０８）によって、インプラントから外すことができるが、アバットメント６５０は、インプラントに連結したままである。
【０１６５】
引き続き図３２Ｂを参照すると、方法２０００は、外した歯科用コンポーネント２７００と補綴物２５１０の両方に、貫通穴（図示なし）を形成することも含むことができる。例えば、他の実施形態に関して本明細書で記載されているように、切削治具２８５０（例えばドリルビット）を用いて、歯科用コンポーネント２７００の遠位側から、貫通穴を作ることができる。場合によっては、位置合わせ治具（例えばドリルガイド）を用いて、切削治具２８５０との位置合わせを容易にできる。例えば、いくつかの実施形態では、歯科用コンポーネント２７００の遠位部分を位置合わせ治具２８００の少なくとも近位部分に連結できる。場合によっては、歯科用コンポーネント２７００を位置合わせ治具２８００の空洞２８２０に挿入して、歯科用コンポーネント２７００の仮連結機構２７０６（例えばスナップフィット、摩擦嵌めまたは他の仮連結機構）によって、併せて連結できる。しかしながら、様々な実施形態において、位置合わせ治具は必要でないこともある。例えば、仮連結機構２７０６及び／または外した歯科用コンポーネント２７００の穴が、いくつかの実施形態では、位置合わせ治具として機能できる。いくつかのそのような実施形態では、位置合わせ治具を連結及び切り離すステップを除外することにより、施術を簡略化して、患者が診察台に横になっている時間を短縮することができる。ある特定の実施形態では、遠位側から（例えば、歯根尖から咬合面に向かって）、補綴物２５１０に貫通穴を作った後、切削治具２８５０によって、補綴物２５１０の近位側から（例えば、咬合面から歯根尖に向かって）、貫通穴を強化できる。いくつかの実施形態では、図３２Ｃに示されているように、遠位側から（例えば、歯根尖から咬合面に向かって）、補綴物２５１０に貫通穴を作った後、別の切削治具２８５５（例えば、元の貫通穴を作った切削治具２８５０の直径と、直径が異なる（直径が大きいなど）切削治具）によって、補綴物２５１０の近位側から（例えば、咬合面から歯根尖に向かって）、貫通穴を拡大できる。本明細書に記載されているように、この孔の直径は、元の貫通穴よりも大きいことができる。例えば、元の貫通穴を作る切削治具２８５０の切削径は、約１．５ｍｍであることができるが、別の切削治具２８５５の切削径は、約２．０ｍｍであることができる。切削径は、補綴物、歯科用コンポーネント、インプラント及び／または固定具のサイズに基づくことができ、特に限定されない。用いる固定具が、元の貫通穴よりも大きいときに、このステップを行うことができる。方法２０００は、歯科用コンポーネント２７００と補綴物２５１０をインプラント２１１０に再連結することを更に含むことができる。図３２Ｄに示されているように、固定具（例えばねじ）２９００を貫通穴に挿入して、補綴物２５１０をインプラント２１１０に連結できる。
【０１６６】
ある特定の実施形態のシステム及び方法は、施術後のワークフロー実行を効率的にでき、それにより、部位の汚染及び組織の重度腫脹のリスクを軽減できるので、治癒期間が短縮される。例えば、本明細書に記載されているような仮連結機構を用いるシステム及び方法によって、診察台に横になった患者において、ねじ式及び非ねじ式コンポーネントの使用を抑える（例えば実質的に排除する）ことができる。加えて、本明細書に記載されているある特定の実施形態は、配置しやすいが、大きすぎないねじ進入穴をもたらすことができる。
【０１６７】
本明細書に記載されているように、例えば図１を参照すると、様々な実施形態において、歯科用インプラント１１０は、患者の顎の中に配置されるように設計された遠位端１１２と、アバットメント１２０、コーピング１３０またはコーピング１３０／アバットメント１２０を組み合わせたもののような別の歯科用コンポーネントを取り付けられるように設計された近位端１１４を有することができる。この歯科用コンポーネントは、特に限定されない。例えば、歯科用コンポーネントは、アダプターを含むことができる。
【０１６８】
次に、図３３Ａを参照すると、他の実施形態に関して本明細書に記載されている機構のいずれかの１つ以上を有することができるアダプター３０００の実施形態が示されている。例えば、アダプター３０００は、仮連結機構を有する遠位部分３００２、近位部分３００４、または遠位部分３００２と近位部分３００４の両方を有することができる。図示されている実施形態では、アダプター３０００は、仮連結機構３００６を有する遠位部分３００２を有する。仮連結機構３００６は、本明細書に記載されている仮連結機構のいずれかの形態であることができる。図示されている実施形態では、仮連結機構３００６は、本明細書に記載されている他のフィンガーと同様の細長いフィンガー３００８を備える。もちろん、本明細書に記載されているように、仮連結機構３００８には、他の形状、サイズ及び要素（例えば、ばね）を用いることができる。さらに、アダプター３０００の材料（１つまたは複数）は、特に限定されず、他のコンポーネントに関して、本明細書に記載されている材料を挙げることができる。例えば、アダプター３０００は、金属で作ることができる。
【０１６９】
様々な実施形態において、アダプター３０００の遠位部分３００２を用いて、インプラントの近位部分と嵌合できる。いくつかのそのような実施形態では、アダプター３０００は、（他の実施形態に関して本明細書で記載されているように、）仮連結機構３００６によって、インプラントとスナップフィット及び／または摩擦嵌めによる連結を形成できる。このインプラントは、特に限定されず、円錐状の連結部、三葉形状の連結部、六角形の連結部などを含むことができる。有益なことに、仮連結機構３００６を有するアダプター３０００のある特定の実施形態は、比較的使用が容易なシステム（例えば、ねじなどの部品がより少ないシステム）をもたらすことができる。
【０１７０】
様々な実施形態において、アダプター３０００は、例えばインプラントと反対側の１つ以上の他の歯科用コンポーネントに連結するように構成できる。例えば、アダプター３０００は、様々なコンポーネント（例えば、補綴物（１歯または複数歯の修復物など）、アバットメント、印象コンポーネント（インプレッションポストなど）、ヒーリングキャップ、スキャンボディなど）に連結するように構成された近位部分３００４（例えば、円錐状の連結部、三葉形状の連結部、六角形の連結部など）を有するように設計できる。使用できるコンポーネントは、特に限定されず、標準的、一時的、またはカスタムメイドな（ＣＡＤ／ＣＡＭ）コンポーネントを含むことができる。いくつかの実施形態では、上記のコンポーネントは、スナップフィット及び／または摩擦嵌めによる連結によって、アダプター３０００と嵌合するように構成された仮連結機構を有することができる。いくつかの実施形態では、上記のコンポーネントは、傾斜したねじチャネルを有することができる。いくつかの実施形態では、アダプターの少なくとも一部は、アダプターを歯科用インプラントと連結したときに軟組織に面するように設計されている。治癒段階中に、軟組織は、アダプターの前記部分に付着できる。いくつかの実施形態では、軟組織に面する部分の幅「ｗ」（アダプターの縦軸に沿って測定される）は、少なくとも４ｍｍである（図３６を参照されたい）。有益なことに、ある特定のアダプター３０００は、軟組織をより的確に管理するために、例えば、印象期間及び／または治癒期間中、インプラントと結合したままであることができるとともに、様々なコンポーネントの使用を可能にできる。換言すると、このアダプターは、インプラントに連結したままであり、他の歯科用コンポーネントを連結できる軟組織と少なくとも部分的に接したままであるプラットフォームとして機能してよい。これにより、軟組織の治癒中に発生する、アダプターと軟組織との付着が解除されるのが回避され、軟組織が、より的確に管理される。
【０１７１】
図３３Ｂには、１つ以上の歯科用コンポーネントと嵌合するように構成された仮連結機構３０１０を有する近位部分３１０４を含むアダプター３１００の実施形態が示されている。図示されている仮連結機構３０１０は、例えば、対応するスナップフィット要素と嵌合するように構成されたスロットを備える。しかしながら、もちろん、本明細書に記載されているように、他の仮連結機構を用いることができる。
【０１７２】
図３４、３５及び３６には、アダプターに連結できるコンポーネントの例が示されている。例えば、図３４に示されているように、インプラント（図示なし）を患者の顎の中に配置した後、印象コンポーネント３３００（例えば、オープンまたはクローズドトレイ用インプレッションポスト）と連結したアダプター３２００は、インプラントに取り付けることができる。インプレッションポストの上部は、印象材の中に留まることができ、インプラントレプリカ用の連結部材として機能できる。あるいは、インプレッションポストは、口腔内スキャンポストとして機能できる。別の例として、ヒーリングキャップ３４００と連結したアダプター３２００をインプラントに取り付けることができる。ヒーリングキャップ３４００の上で印象を取り、デスクトップスキャナーまたは口腔内スキャナーで、ヒーリングキャップ３４００の上を走査することができる。他の例が可能であり、例えば、アダプターをインプラントに取り付けることができ、一時的、標準的またはカスタムメイド（ＣＡＤ／ＣＡＭ）のアバットメントをアダプターと連結することができる。図３５及び３６には、更に別の例の実施形態が示されている。アダプター３５００は、インプラント３５０１の上に取り付けることができる。補綴物３５１０（図３６には一部のみが示されている）を固定具３５９０によってアダプター３５００に連結できる。いくつかの実施形態では、補綴物３５１０は、固定具３５９０を受け入れるように、傾斜した（例えば、インプラント３５０１の軸から最大で約２５度傾斜した）ねじチャネル４０００を含むことができる。アダプターは、様々な設計の歯科用コンポーネントと様々な材料の歯科用コンポーネント（例えば、チタン、チタン合金、ＰＥＥＫ、ジルコニア、金、ＣｏＣｒなどで作られた歯科用コンポーネント）と連結するように構成できる。ある特定の実施形態では、このアダプターを用いて、「組織レベルのインプラント」を作ることができる。配置したら、通常、アダプターは外さないので、他の歯科用コンポーネントをアダプターに、その近位（冠状）端で連結できる。これは、例えば、アダプターを通り、インプラントのソケットの中に入るねじを用いることによって行うことができる。したがって、アダプターをインプラントに連結できるようにするが、必要な場合に、アダプターをインプラントから外せるようにもする摩擦嵌め保持連結部をアダプターは備える。
【０１７３】
本明細書に記載されている実施形態に対して、多くの変形及び修正を行ってよいことを強調すべきであり、それらの実施形態の要素は、他の許容可能な例のうちの１つであると理解すべきである。そのような修正形態及び変形形態はいずれも、本明細書においては、本開示の範囲内に含まれるように意図されており、下記の請求項によって保護される。さらに、本明細書に記載されているステップのいずれをも、同時に、または本明細書に記載されているステップとは異なる順序で行うことができる。さらに、当然のことながら、本明細書に開示されている具体的な実施形態の特長及び特質を異なる形で組み合わせて、追加の実施形態を形成してもよく、そのような実施形態はいずれも、本開示の範囲内である。
【０１７４】
本明細書で使用されている条件的な用語、特に「ｃａｎ」、「ｃｏｕｌｄ」、「ｍｉｇｈｔ」、「ｍａｙ」「ｅ．ｇ．」などは、別段の具体的な定めのない限り、または、用いられる文脈内で別段に理解されない限り、ある特定の機構、要素及び／または状態が、特定の実施形態には含まれるが、別の実施形態には含まれないことを伝えるように概ね意図されている。したがって、機構、要素及び／もしくは状態が、何らかの形で、１つ以上の実施形態に必須であること、または、著者の考えの表示もしくは暗示の有無を問わず、いずれかの特定の実施形態において、それらの機構、要素及び／または状態を含めるか、もしくは実行するかを判断する論理を１つ以上の実施形態が必ず含むことを示すようには、そのような条件的な用語は概ね意図していない。
【０１７５】
実施形態のリスト
１．歯科用コンポーネントを歯科用インプラントに連結するシステムであって、前記器具が、
仮連結機構を備えるコーピング
を含む前記システム。
２．仮連結機構と第２の連結機構とを備えるアバットメント
を更に含み、
前記コーピングと前記アバットメントが、前記仮連結機構によって、一時的に、併せて連結するように構成されており、
前記アバットメントが、前記インプラントに連結するように構成されている、
実施形態１に記載のシステム。
３．ねじ山を備える固定具を更に備え、前記ねじ山が、前記第２の連結機構と嵌合して、前記コーピングを前記アバットメントと連結するように構成されている、実施形態２に記載のシステム。
４．前記コーピングが、細長い部材を更に備え、前記細長い部材が、複数の突起及びスロットを備える、実施形態１〜３のいずれかに記載のシステム。
５．前記コーピングの前記仮連結機構が、弾性部材を備える、実施形態１〜４のいずれかに記載のシステム。
６．前記弾性部材が、ウェーブばねを備える、実施形態５に記載のシステム。
７．前記ウェーブばねが、前記仮コーピングのスロットの中に入る、実施形態６に記載のシステム。
８．前記コーピングの前記仮連結機構が、１つ以上の弾性フィンガーを備える、実施形態５に記載のシステム。
９．前記コーピングが、本体コンポーネントとコネクターコンポーネントを備え、前記コネクターコンポーネントが、前記コーピングの前記仮連結機構を備える、実施形態１〜８のいずれかに記載のシステム。
１０．前記本体コンポーネントが、前記細長い部材を備える、実施形態９に記載のシステム。
１１．前記本体コンポーネントと前記コネクターコンポーネントが、併せて連結するように構成されている、実施形態９または１０のいずれかに記載のシステム。
１２．前記本体コンポーネントと前記コネクターコンポーネントが、摩擦嵌めによって連結するように構成されている、実施形態１１に記載のシステム。
１３．前記コネクターコンポーネントが、前記本体コンポーネントの対応するねじ山と嵌合するように構成されたねじ山を備える、実施形態１１に記載のシステム。
１４．切削治具を更に備える、実施形態１〜１３のいずれかに記載のシステム。
１５．前記コーピングの前記仮連結機構によって、前記コーピングに取り外し可能な状態で連結するように構成された位置合わせ治具を更に備える、実施形態１４に記載のシステム。
１６．前記位置合わせ治具が、前記切削治具を通すことができる位置合わせ機構を更に備える、実施形態１５に記載のシステム。
１７．患者の顎内のインプラント及びアバットメントへの歯科用補綴物の連結方法であって、
スナップフィット連結を用いて、コーピングを前記アバットメントに連結することと、
前記補綴物を前記コーピングに接合することと、
前記スナップフィット連結部によって、前記補綴物と前記コーピングを前記アバットメントから切り離すことと、
前記コーピングと前記補綴物の両方に、貫通穴を形成することと、
前記貫通穴に挿入した固定具を用いて、前記コーピングと前記補綴物を前記アバットメントに連結することと、
を含む前記方法。
１８．患者の顎内のインプラント及びアバットメントへの歯科用補綴物の連結方法であって、
仮連結機構によって、コーピングを前記アバットメントに一時的に連結することと、
前記補綴物と前記コーピングとの間の位置を修正し、前記補綴物を前記コーピングに連結することと、
前記補綴物と前記コーピングが前記修正位置に留まるようにして、前記補綴物と前記コーピングを前記アバットメントから外すことと、
を含む前記方法。
１９．切削治具を用いて、少なくとも前記補綴物を通る穴を形成することを更に含む、実施形態１８に記載の方法。
２０．少なくとも前記補綴物を通る穴を形成する前記ステップが、位置合わせ治具を前記コーピングに取り付けることと、前記位置合わせ治具を用いて、前記切削治具を前記補綴物に対して位置合わせすることとを含む、実施形態１９に記載の方法。
２１．第２の連結機構によって、前記コーピングを前記アバットメントに連結することを更に含み、前記第２の連結機構が、前記仮連結機構とは異なる、実施形態１８または１９のいずれかに記載の方法。
２２．第２の連結機構によって、前記コーピングを前記アバットメントに連結する前記ステップが、ねじ式固定具を用いて、前記コーピングを前記アバットメントに固定することを含む、実施形態２１に記載の方法。
２３．仮連結機構によって、前記コーピングを前記アバットメントに一時的に連結する前記ステップが、前記コーピングのスナップフィット連結機構を、前記アバットメントの対応するスナップフィット連結機構と嵌合することを含む、実施形態１８〜２２のいずれかに記載の方法。
２４．前記補綴物を前記コーピングに連結する前記ステップが、接着剤を前記コーピングと前記補綴物に塗布することを含む、実施形態１８〜２３のいずれかに記載の方法。
２５．前記補綴物が、１つ以上の有底穴を備え、前記接着剤を前記補綴物に塗布する前記ステップが、前記接着剤を前記１つ以上の有底穴に投入することを含む、実施形態２４に記載の方法。
２６．前記補綴物と前記コーピングとの間の位置を修正する前記ステップが、咬合面を配向し、対合歯の咬合面との前記補綴物の高径を確立することを含む、実施形態１８〜２５のいずれかに記載の方法。
２７．前記補綴物を前記コーピングに取り付ける前記ステップの前に、前記補綴物が前記コーピングに対して仮嵌合したことを判断することを更に含む、実施形態１８〜２６のいずれかに記載の方法。
２８．前記コーピングを修正して、前記補綴物の前記コーピングに対する前記嵌合を変更することを更に含む、実施形態２７に記載の方法。
２９．患者の顎内のアバットメント及びコーピングへの歯科用補綴物の取り付け及び位置合わせ方法であって、
仮連結機構によって、前記コーピングを前記アバットメントに連結することと、
前記補綴物を前記コーピングに接合することと、
前記補綴物を前記コーピングに接合しながら、前記補綴物と前記コーピングとの間の位置を修正することと、
前記補綴物と前記コーピングを前記アバットメントから外すことと、
を含む前記方法。
３０．前記補綴物に１つ以上の有底穴を形成することを更に含み、前記補綴物を前記コーピングに接合する前記ステップが、前記１つ以上の有底穴の中で前記コーピングを接合することを含む、実施形態２９に記載の方法。
３１．切削治具を用いて、前記補綴物を通る穴を形成することを更に含む、実施形態２９に記載の方法。
３２．前記補綴物を通る穴を形成する前記ステップが、位置合わせ治具を前記コーピングに取り付けることと、前記位置合わせ治具を用いて、前記切削治具を前記補綴物に対して位置合わせすることとを含む、実施形態３１に記載の方法。
３３．ねじ式固定具を用いて、前記コーピングを前記アバットメントに連結することを更に含む、実施形態３１に記載の方法。
３４．前記補綴物と前記コーピングとの間の位置を修正する前記ステップが、前記補綴物の咬合面を、対合歯の咬合面と接触させて配置することを含む、実施形態２９に記載の方法。
３５．１つ以上の歯科用コンポーネントを歯科用インプラントに連結するシステムであって、
仮連結機構を備える、前記１つ以上の歯科用コンポーネントの少なくとも１つの歯科用コンポーネント
を含む前記システム。
３６．前記少なくとも１つの歯科用コンポーネントが、前記仮連結機構によって前記歯科用インプラントと連結するように構成されたアバットメントを含む、実施形態３５に記載のシステム。
３７．前記アバットメントが、コーピングと一体化されたアバットメントを含む、実施形態３６に記載のシステム。
３８．前記アバットメントの前記仮連結機構が、１つ以上のフィンガーを備える、実施形態３６に記載のシステム。
３９．前記アバットメントの前記仮連結機構が、ばねを備える、実施形態３６に記載のシステム。
４０．前記アバットメントと前記インプラントが、スナップフィットによって連結するように構成されている、実施形態３６に記載のシステム。
４１．前記アバットメントと前記インプラントが、摩擦嵌めによって連結するように構成されている、実施形態３６に記載のシステム。
４２．前記１つ以上の歯科用コンポーネントが、コーピングとアバットメントを含むか、
前記少なくとも１つの歯科用コンポーネントが、前記仮連結機構によって前記アバットメントと連結するように構成された前記コーピングを含むか、または
前記少なくとも１つの歯科用コンポーネントが、前記仮連結機構によって前記コーピングと連結するように構成された前記アバットメントを含む、
実施形態３５に記載のシステム。
４３．前記アバットメントが、第２の連結機構を備え、前記アバットメントが、前記第２の連結機構によって前記インプラントに連結するように構成されている、実施形態４２に記載のシステム。
４４．前記仮連結機構が、１つ以上のフィンガーを備える、実施形態４２に記載のシステム。
４５．前記仮連結機構が、ばねを備える、実施形態４２に記載のシステム。
４６．前記コーピングと前記アバットメントが、スナップフィットによって連結するように構成されている、実施形態４２に記載のシステム。
４７．前記コーピングと前記アバットメントが、摩擦嵌めによって連結するように構成されている、実施形態４２に記載のシステム。
４８．前記コーピングが、細長い部材を備え、前記細長い部材が、複数の突起及びスロットを備える、実施形態４２に記載のシステム。
４９．前記コーピングが、フランジを備え、前記フランジが、複数の溝を備える、実施形態４２に記載のシステム。
５０．切削治具を更に備える、実施形態３５に記載のシステム。
５１．前記少なくとも１つの歯科用コンポーネントが、前記仮連結機構によって前記歯科用インプラントと連結するように構成されたアダプターを含む、実施形態３５に記載のシステム。
５２．前記仮連結機構が、１つ以上のフィンガーを備える、実施形態５１に記載のシステム。
５３．前記仮連結機構が、ばねを備える、実施形態５１に記載のシステム。
５４．前記アダプターと前記インプラントが、スナップフィットによって連結するように構成されている、実施形態５１に記載のシステム。
５５．前記アダプターと前記インプラントが、摩擦嵌めによって連結するように構成されている、実施形態５１に記載のシステム。
５６．前記アダプターが、前記歯科用インプラントと反対側の１つ以上の他の歯科用コンポーネントに連結するように構成されている、実施形態５１に記載のシステム。
５７．前記１つ以上の他の歯科用コンポーネントが、補綴物、アバットメント、インプレッションポスト及びヒーリングキャップのうちの少なくとも１つを含む、実施形態５６に記載のシステム。
５８．前記１つ以上の他の歯科用コンポーネントが、傾斜したねじチャネルを備える、実施形態５７に記載のシステム。
５９．歯科用インプラントに連結するように構成された歯科用補綴物の作製方法であって、
１つ以上の歯科用コンポーネントを前記インプラントに連結することであって、前記１つ以上の歯科用コンポーネントの少なくとも１つの歯科用コンポーネントが、仮連結機構を有する、前記連結することと、
前記補綴物を前記１つ以上の歯科用コンポーネントに接合することと、
前記仮連結機構によって、前記補綴物と前記少なくとも１つの歯科用コンポーネントを前記インプラントから切り離すことと、
前記少なくとも１つの歯科用コンポーネントと前記補綴物の両方に貫通穴を形成することであって、前記貫通穴が、前記補綴物と、前記歯科用インプラントに対する前記少なくとも１つの歯科用コンポーネントと連結するように構成された固定具を受け入れるように構成されている、前記連結することと、
を含む前記方法。
６０．前記貫通穴を形成することが、切削治具を用いて、前記少なくとも１つの歯科用コンポーネントの遠位側から、前記貫通穴を形成することを含む、実施形態５９に記載の方法。
６１．前記貫通穴を形成することが、前記切削治具または別の切削治具を用いて、前記補綴物の咬合側から、前記貫通穴を形成することを更に含む、実施形態６０に記載の方法。
６２．前記貫通穴に挿入した前記固定具を用いて、前記少なくとも１つの歯科用コンポーネントと前記補綴物とを前記インプラントに連結することを更に含む、実施形態５９に記載の方法。
６３．前記仮連結機構が、スナップフィット連結機構を含む、実施形態５９に記載の方法。
６４．前記仮連結機構が、摩擦嵌め連結機構を含む、実施形態５９に記載の方法。
６５．前記少なくとも１つの歯科用コンポーネントが、前記仮連結機構によって前記インプラントと連結するように構成されたアバットメントを含む、実施形態５９に記載の方法。
６６．前記アバットメントが、コーピングと一体化されたアバットメントを含む、実施形態６５に記載の方法。
６７．前記１つ以上の歯科用コンポーネントが、コーピングとアバットメントを含むか、
前記少なくとも１つの歯科用コンポーネントが、前記仮連結機構によって前記アバットメントと連結するように構成された前記コーピングを含むか、または
前記少なくとも１つの歯科用コンポーネントが、前記仮連結機構によって前記コーピングと連結するように構成された前記アバットメントを含む、
実施形態５９に記載の方法。
６８．前記アバットメントが、第２の連結機構を備え、前記アバットメントが、前記第２の連結機構によって前記インプラントに連結するように構成されている、実施形態６７に記載の方法。
６９．歯科用修復物の作製方法であって、
ａ）スナップフィット及び／または摩擦嵌めによる連結を用いて、アダプターなどの第１の歯科用コンポーネントを、顎骨に取り付けた歯科用インプラントに連結して、前記第１の歯科用コンポーネントの少なくとも一部が、軟組織に面するようにすることであって、前記第１の歯科用コンポーネントが、前記歯科用インプラントから外れないように設計されている、前記連結することと、
ｂ）少なくとも別の歯科用コンポーネントを前記第１の歯科用コンポーネントに連結することと、
を含む前記方法。
７０．別の歯科用コンポーネントを連結することが、ヒーリングアバットメント、印象コンポーネントまたは口腔内スキャンポストを前記第１の歯科用コンポーネントに連結することを含む、実施形態６９に記載の方法。
７１．別の歯科用コンポーネントを連結することが、固定具を用いて、傾斜したねじチャネルを含む補綴物を、前記第１の歯科用コンポーネントに連結することを含む、実施形態６９に記載の方法。
【図１】
2020062527.tif 000003
【図２】
2020062527.tif 000004
【図３】
2020062527.tif 000005
【図４】
2020062527.tif 000006
【図５】
2020062527.tif 000007
【図６】
2020062527.tif 000008
【図７Ａ】
2020062527.tif 000009
【図７Ｂ】
2020062527.tif 000010
【図７Ｃ】
2020062527.tif 000011
【図８】
2020062527.tif 000012
【図９】
2020062527.tif 000013
【図１０】
2020062527.tif 000014
【図１１】
2020062527.tif 000015
【図１２】
2020062527.tif 000016
【図１３】
2020062527.tif 000017
【図１４】
2020062527.tif 000018
【図１５】
2020062527.tif 000019
【図１６】
2020062527.tif 000020
【図１７】
2020062527.tif 000021
【図１８】
2020062527.tif 000022
【図１９】
2020062527.tif 000023
【図２０】
2020062527.tif 000024
【図２１】
2020062527.tif 000025
【図２２】
2020062527.tif 000026
【図２３】
2020062527.tif 000027
【図２４】
2020062527.tif 000028
【図２５】
2020062527.tif 000029
【図２６】
2020062527.tif 000030
【図２７Ａ】
2020062527.tif 000031
【図２７Ｂ】
2020062527.tif 000032
【図２７Ｃ】
2020062527.tif 000033
【図２７Ｄ】
2020062527.tif 000034
【図２７Ｅ】
2020062527.tif 000035
【図２８Ａ】
2020062527.tif 000036
【図２８Ｂ】
2020062527.tif 000037
【図２９Ａ】
2020062527.tif 000038
【図２９Ｂ】
2020062527.tif 000039
【図３０Ａ】
2020062527.tif 000040
【図３０Ｂ】
2020062527.tif 000041
【図３１】
2020062527.tif 000042
【図３２Ａ】
2020062527.tif 000043
【図３２Ｂ】
2020062527.tif 000044
【図３２Ｃ】
2020062527.tif 000045
【図３２Ｄ】
2020062527.tif 000046
【図３３Ａ】
2020062527.tif 000047
【図３３Ｂ】
2020062527.tif 000048
【図３４】
2020062527.tif 000049
【図３５】
2020062527.tif 000050
【図３６】
2020062527.tif 000051